(57)【要約】ディスプレイデバイスは、内部結合された光の再バウンスを軽減させ、全体的内部結合効率および／または均一性を改良する、内部結合光学要素を伴う導波管を含む。導波管は、光源および／または投影光学系からの光を受光し、受光された光を内部結合し、全内部反射によって、導波管内を伝搬方向に伝搬する、内部結合光学要素を含む。いったん導波管の中に内部結合されると、光は、光が導波管表面から反射する、再バウンスを受け、反射後、内部結合光学要素に衝打し得る。内部結合光学要素に衝打することに応じて、光は、部分的に、光学要素によって、吸収および／または外部結合され、それによって、導波管を通して伝搬する、内部結合された光の量を事実上低減させ得る。
2021530747.tif 000002
【特許請求の範囲】
【請求項１】
画像をユーザの眼に投影するためのディスプレイシステムであって、前記ディスプレイシステムは、
第１の主要表面と、前記第１の主要表面に対向する第２の主要表面とを備える導波管と、
光のビームを前記導波管の第２の主要表面に向かって投影するように構成される投影光学系と、
前記導波管の第２の主要表面上に配置される内部結合光学要素であって、前記内部結合光学要素は、前記投影光学系からの光を内部結合するように構成される回折領域を備え、前記内部結合光学要素は、前記投影光学系からの光を全内部反射によって前記導波管内を第１の方向に伝搬するように再指向するように構成される、内部結合光学要素と
を備え、
前記回折領域は、前記投影光学系からの光のビームの第１の部分が、前記回折領域上に入射し、前記投影光学系からの光のビームの第２の部分が、前記回折領域上に入射せずに、前記導波管上に衝突するようにサイズ決めおよび成形される、ディスプレイシステム。
【請求項２】
前記回折領域は、高効率回折領域であり、前記内部結合光学要素は、前記投影光学系からの光のビームの第２の部分が前記低効率回折領域上に入射するようにサイズ決めおよび成形される低効率回折領域をさらに備える、請求項１に記載のディスプレイシステム。
【請求項３】
前記高効率回折領域は、金属化された格子部分を備える反射性回折領域であり、前記低効率回折領域は、非金属化された格子部分を備える、請求項２に記載のディスプレイシステム。
【請求項４】
前記光のビームの第２の部分は、前記導波管の中に内部結合されずに、前記第２の主要表面を通して、前記導波管から外に伝搬する、請求項１に記載のディスプレイシステム。
【請求項５】
前記光のビームの第２の部分は、前記光のビームの第１の部分に対してより低い効率で前記導波管の中に内部結合される、請求項１に記載のディスプレイシステム。
【請求項６】
前記回折領域は、前記投影光学系からの光のビームのビーム軸における前記伝搬方向と垂直な対称軸を中心として反射非対称である、請求項１に記載のディスプレイシステム。
【請求項７】
前記導波管は、導波管スタックの一部であり、前記導波管スタックは、
第１の主要表面および第２の主要表面を備える第２の導波管と、
前記第２の導波管の第２の主要表面上に配置される第２の内部結合光学要素であって、前記第２の内部結合光学要素は、前記光のビームによって画定された面積の回折領域によって被覆される割合に対して、前記投影光学系からの光の第２のビームによって画定された面積のより大きい割合を被覆する第２の回折領域を備える、第２の内部結合光学要素と
をさらに備える、請求項１に記載のディスプレイシステム。
【請求項８】
前記第２の回折領域は、前記第２の光のビームの実質的に全てを内部結合するように構成される、請求項７に記載のディスプレイシステム。
【請求項９】
前記第１の導波管の回折領域は、前記投影光学系からの光のビームのビーム軸における前記伝搬方向と垂直な対称軸を中心として反射非対称であり、前記第２の回折領域は、前記第２の光のビームのビーム軸における前記伝搬方向と垂直な第２の対称軸を中心として反射対称である、請求項７に記載のディスプレイシステム。
【請求項１０】
前記第２の導波管は、前記導波管と前記投影光学系との間に配置され、前記導波管は、前記投影光学系から前記投影光学系の焦点距離を上回る距離で離間される、請求項７に記載のディスプレイシステム。
【請求項１１】
導波管であって、
第１の主要表面と、
第２の主要表面と、
前記第２の主要表面上に配置される内部結合回折光学要素であって、前記内部結合光学要素は、入射光を内部結合するように構成される回折領域を備え、前記伝搬方向と平行な前記回折領域の幅は、前記伝搬方向と垂直な前記回折領域の長さより短い、内部結合回折光学要素と
を備える、導波管。
【請求項１２】
前記回折領域の幅は、前記回折領域の長さの８０％未満である、請求項１１に記載の導波管。
【請求項１３】
前記回折領域は、高効率回折領域であり、前記内部結合回折光学要素は、前記伝搬方向に沿って前記高効率回折領域に隣接して配置される低効率回折領域をさらに備える、請求項１１に記載の導波管。
【請求項１４】
前記高効率回折領域は、金属化された回折格子部分を備える反射性回折領域であり、前記低効率回折領域は、非金属化された回折格子部分を備える、請求項１３に記載の導波管。
【請求項１５】
前記高効率回折領域および前記低効率回折領域は、部分的に、金属化された回折格子を形成し、前記回折格子は、前記高効率回折領域内で金属化され、前記低効率回折領域内で非金属化される、請求項１３に記載の導波管。
【請求項１６】
前記内部結合回折光学要素は、実質的に等しい長さおよび幅を有する内部結合光学要素と比較して、内部結合された光の再バウンスの発生を低減させるようにサイズ決めおよび成形される、請求項１１に記載の導波管。
【請求項１７】
頭部搭載型ディスプレイシステムのための導波管スタックであって、前記導波管スタックは、
第１の導波管であって、前記第１の導波管は、第１の主要表面と、前記第１の主要表面に対向する第２の主要表面と、前記第２の主要表面上に配置される第１の内部結合回折光学要素とを備え、前記第１の内部結合回折光学要素は、光源からの入射光を再指向し、全内部反射によって、前記第１の導波管内を伝搬方向に伝搬するように構成される第１の回折領域を備える、第１の導波管と、
第２の導波管であって、前記第２の導波管は、第１の主要表面と、前記第２の導波管の第１の主要表面に対向する第２の主要表面と、前記第２の導波管の第２の主要表面上に配置される第２の内部結合回折光学要素とを備え、前記第２の内部結合回折光学要素は、前記光源からの入射光を再指向し、全内部反射によって、前記第２の導波管内を前記伝搬方向に伝搬するように構成される第２の回折領域を備える、第２の導波管と
を備え、
前記第２の回折領域の幅対長さ比は、前記第１の回折領域の幅対長さ比より小さい、導波管スタック。
【請求項１８】
前記導波管スタックは、前記光源と前記第１の回折領域との間の距離が、前記光源の焦点距離上にあり、前記光源と前記第２の回折領域との間の距離が、前記焦点距離を上回るように、前記光源から離間される、請求項１７に記載の導波管スタック。
【請求項１９】
前記第１の回折領域の幅対長さ比は、８０％を上回り、前記第２の回折領域の幅対長さ比は、８０％未満である、請求項１７に記載の導波管スタック。
【請求項２０】
前記第２の回折領域は、高効率回折領域であり、前記第２の内部結合回折光学要素はさらに、前記伝搬方向に沿って前記高効率回折領域に直接隣接して配置される低効率回折領域を備える、請求項１７に記載の導波管スタック。
【請求項２１】
前記高効率回折領域は、回折格子の金属化された部分を備え、前記低効率回折領域は、前記回折格子の非金属化された部分を備える、請求項２０に記載の導波管スタック。
【請求項２２】
前記第２の内部結合回折光学要素は、前記第１の回折領域の幅対長さ比に等しい幅対長さ比を有する内部結合回折光学要素と比較して、前記内部結合された光の再バウンスの発生を低減させるようにサイズ決めおよび成形される、請求項１７に記載の導波管スタック。
【請求項２３】
反射性層を備える光学導波管構造を作製する方法であって、前記方法は、
表面を備える光学導波管を提供することであって、前記表面は、突出部のパターンを備える領域を備える、ことと、
液体混合物を前記領域の少なくとも一部上に堆積させることであって、前記液体混合物は、金属塩を含む、ことと、
前記領域を前記金属塩の金属でコーティングすることによって、前記反射性層を形成することであって、前記領域をコーティングことは、金属を前記金属塩から解離することによって、前記金属を前記領域上に析出することを含む、ことと
を含む、方法。
【請求項２４】
金属を前記金属塩から解離することは、還元剤に暴露することによって、前記金属塩を還元させることを含む、請求項２３に記載の方法。
【請求項２５】
前記還元剤は、アルファ−ヒドロキシアルデヒドを含む炭水化物またはアルファ−ヒドロキシケトンを含む炭水化物のうちの少なくとも１つを含む、請求項２４に記載の方法。
【請求項２６】
前記液体混合物は、前記還元剤を含む、請求項２４に記載の方法。
【請求項２７】
前記液体混合物を堆積させた後、前記還元剤を前記液体混合物に添加することをさらに含む、請求項２４に記載の方法。
【請求項２８】
前記反射性層を形成することは、１つ以上の面積を前記金属のない領域の周囲に残しながら、前記反射性層を前記領域上に選択的に形成することを含む、請求項２３に記載の方法。
【請求項２９】
前記導波管の表面は、前記領域内に体積を画定する垂直に延在する壁を備え、前記液体混合物を堆積させることは、前記堆積混合物を前記体積の中に堆積させることを含む、請求項２８に記載の方法。
【請求項３０】
前記突出部は、回折光学要素を画定し、前記突出部および反射性層は、反射性回折光学要素を形成する、請求項２３に記載の方法。
【請求項３１】
前記回折光学要素は、前記光が全内部反射によって前記導波管を通して伝搬するような角度で、入射光を再指向するように構成される内部結合光学要素である、請求項３０に記載の方法。
【請求項３２】
前記突出部は、フォトレジストを備える、請求項２３に記載の方法。
【請求項３３】
前記液体混合物を付加的光学導波管の表面の付加的領域上に堆積させることによって、付加的反射性層を付加的光学導波管上に形成することであって、付加的反射性光学要素は、入射光を反射させるように構成される、ことと、
少なくとも前記付加的導波管を前記導波管の表面に取り付け、それによって、導波管のスタックを生産することと
をさらに含む、請求項２３に記載の方法。
【請求項３４】
前記領域の親水性は、前記液体混合物を堆積させることに先立って、プラズマ、界面活性剤、コーティング、湿式化学エッチング液、および触媒から成る群から選択される１つ以上のエージェントを用いて前記領域を選択的に事前に処理することによって、増加される、請求項２３に記載の方法。
【請求項３５】
プラズマで前記領域を事前に処理することは、大気プラズマ処理を実施することを含む、
前記湿式化学エッチング剤は、クロム酸を含む、
前記コーティングは、シリカを含む、および／または
前記触媒は、スズまたはパラジウムを含む
のうちの少なくとも１つである、請求項３４に記載の方法。
【請求項３６】
前記液体混合物を堆積させることに先立って、触媒を前記領域に選択的に適用することをさらに含み、前記触媒は、前記銀塩の還元を促すように構成される、請求項２３に記載の方法。
【請求項３７】
前記液体混合物は、本質的に、前記金属塩、還元剤、および塩基から成る、請求項２３に記載の方法。
【請求項３８】
前記反射性層は、純金属または実質的に純金属である、請求項２３に記載の方法。
【請求項３９】
前記液体混合物は、ナノ分注、マイクロ分注、マイクロパイピング、インクジェット印刷、および噴霧のうちの少なくとも１つによって、前記領域上に堆積される、請求項２３に記載の方法。
【請求項４０】
前記金属の析出に続いて、残留液体混合物材料を除去することをさらに含む、請求項２３に記載の方法。
【請求項４１】
残留液晶混合物を除去することは、前記光学導波管を濯洗することを含む、請求項４０に記載の方法。
【請求項４２】
キャッピング層を前記反射性層上に堆積させることをさらに含む、請求項２３に記載の方法。
【請求項４３】
前記反射性層は、ピンホールがないまたは実質的にない、請求項２３に記載の方法。
【請求項４４】
前記金属は、銀である、請求項２３に記載の方法。
【請求項４５】
光学デバイスであって、
反射性回折光学要素を備える第１の導波管であって、前記反射性回折光学要素は、
前記第１の導波管の表面上の突出部と、
前記突出部上の界面層と、
前記界面層上の反射性層と
を備える、第１の導波管
を備える、光学デバイス。
【請求項４６】
前記界面層は、プラズマ処理表面、界面活性剤層、および触媒のうちの１つ以上のものを備える、請求項４５に記載の光学デバイス。
【請求項４７】
前記触媒は、スズまたはパラジウム含有複合物のうちの１つ以上のものを含む、請求項４６に記載の光学デバイス。
【請求項４８】
前記反射性層は、少なくとも９５％金属である、請求項４５に記載の光学デバイス。
【請求項４９】
前記反射性層は、ピンホールが実質的にない、請求項４５に記載の光学デバイス。
【請求項５０】
前記反射性回折光学要素は、前記光が全内部反射によって前記第１の導波管を通して伝搬するような角度で、入射光を再指向するように構成される内部結合光学要素である、請求項４５に記載の光学デバイス。
【請求項５１】
前記反射性層は、少なくとも８５％の反射率を伴って、前記入射光を反射させる、請求項５０に記載の光学デバイス。
【請求項５２】
第２の導波管および第３の導波管をさらに備え、前記第２の導波管は、前記第３の導波管と異なる波長の範囲の光を出力するように構成され、
前記第１、第２、および第３の導波管はそれぞれ、反射性回折光学要素を備え、前記反射性回折光学要素は、
前記第１の導波管の表面上の突出部と、
前記突出部上の界面層と、
前記界面層上の反射性層と
を備える、請求項４５に記載の光学デバイス。
【請求項５３】
前記第１の表面は、前記反射性層の境界を画定する壁を備える、請求項４５に記載の光学デバイス。
【請求項５４】
前記壁は、前記第１の導波管と他の導波管との間に空間を維持するように構成される機械的スペーサを備える、請求項５３に記載の光学デバイス。
【請求項５５】
前記光学デバイスは、空間光変調器を備えるディスプレイシステムであり、前記空間光変調器は、画像情報を含有する光を前記反射性回折光学要素上に出力するように構成される、請求項４５に記載の光学デバイス。
【請求項５６】
前記反射性層上のキャッピング層をさらに備える、請求項４５に記載の光学デバイス。
【発明の詳細な説明】
【技術分野】
【０００１】
（優先権の主張）
本願は、３５Ｕ．Ｓ．Ｃ．§１１９（ｅ）下、両方とも、参照することによって、その全体として、あらゆる目的のために、本明細書に組み込まれる、２０１８年７月２４日に出願され、「ＤＩＦＦＲＡＣＴＩＶＥ  ＯＰＴＩＣＡＬ  ＥＬＥＭＥＮＴＳ  ＷＩＴＨ  ＭＩＴＩＧＡＴＩＯＮ  ＯＦ  ＲＥＢＯＵＮＣＥ−ＩＮＤＵＣＥＤ  ＬＩＧＨＴ  ＬＯＳＳ  ＡＮＤ  ＤＩＳＰＬＡＹ  ＤＥＶＩＣＥＳ  ＣＯＮＴＡＩＮＩＮＧ  ＴＨＥ  ＳＡＭＥ」と題された、米国仮出願第６２／７０２，７０７号、および２０１８年１０月１７日に出願され、「ＷＡＶＥＧＵＩＤＥＳ  ＨＡＶＩＮＧ  ＨＩＧＨＬＹ  ＲＥＦＬＥＣＴＩＶＥ  ＬＡＹＥＲＳ  ＡＮＤ  ＭＥＴＨＯＤＳ  ＦＯＲ  ＦＯＲＭＩＮＧ」と題された、米国仮出願第６２／７４７，０３２号の優先権を主張する。
【０００２】
（参照による組み込み）
本願は、参照することによって、以下の特許出願、すなわち、２０１４年１１月２７日に出願され、２０１５年７月２３日に米国特許公開第２０１５／０２０５１２６号として公開された、米国特許出願第１４／５５５，５８５号、２０１５年４月１８日に出願され、２０１５年１０月２２日に米国特許公開第２０１５／０３０２６５２号として公開された、米国特許出願第１４／６９０，４０１号、２０１４年３月１４日に出願され、２０１６年８月１６日に発行された、現米国特許第９，４１７，４５２号である、米国特許出願第１４／２１２，９６１号、２０１４年７月１４日に出願され、２０１５年１０月２９日に米国特許公開第２０１５／０３０９２６３号として公開された、米国特許出願第１４／３３１，２１８号、および２０１８年４月１６日に出願された、米国特許出願第１５／９５４，４１９号のそれぞれの全体を組み込む。
【０００３】
本開示は、ディスプレイシステムに関し、より具体的には、拡張および仮想現実ディスプレイシステムに関する。
【背景技術】
【０００４】
現代のコンピューティングおよびディスプレイ技術は、いわゆる「仮想現実」または「拡張現実」体験のためのシステムの開発を促進しており、デジタル的に再現された画像またはその一部が、現実であるように見える、またはそのように知覚され得る様式でユーザに提示される。仮想現実、すなわち、「ＶＲ」シナリオは、典型的には、他の実際の実世界の視覚的入力に対する透過性を伴わずに、デジタルまたは仮想画像情報の提示を伴い、拡張現実、すなわち、「ＡＲ」シナリオは、典型的には、ユーザの周囲の実際の世界の可視化に対する拡張としてのデジタルまたは仮想画像情報の提示を伴う。複合現実または「ＭＲ」シナリオは、一種のＡＲシナリオであって、典型的には、自然世界の中に統合され、それに応答する、仮想オブジェクトを伴う。例えば、ＭＲシナリオは、実世界内のオブジェクトによってブロックされて見える、または別様にそれと相互作用するように知覚される、ＡＲ画像コンテンツを含んでもよい。
【０００５】
図１を参照すると、拡張現実場面１０が、描写されている。ＡＲ技術のユーザには、背景における人々、木々、背景における建物、コンクリートプラットフォーム３０を特徴とする、実世界公園状設定２０が見える。ユーザはまた、実世界プラットフォーム３０上に立っているロボット像４０と、マルハナバチの擬人化のように見える、飛んでいる漫画のようなアバタキャラクタ５０等の「仮想コンテンツ」を「見ている」と知覚する。これらの要素５０、４０は、実世界内に存在しないという点で、「仮想」である。ヒトの視知覚系が、複雑であるため、他の仮想または実世界画像要素間における仮想画像要素の快適で、自然のような感覚で、かつ豊かな提示を促進する、ＡＲ技術の生成は、困難である。
【発明の概要】
【課題を解決するための手段】
【０００６】
いくつかの側面は、画像をユーザの眼に投影するためのディスプレイシステムを含む。ディスプレイシステムは、第１の主要表面と、第１の主要表面に対向する、第２の主要表面とを備える、導波管と、光のビームを導波管の第２の主要表面に向かって投影するように構成される、投影光学系と、導波管の第２の主要表面上に配置される、内部結合光学要素であって、内部結合光学要素は、投影光学系からの光を内部結合するように構成される、回折領域を備え、投影光学系からの光を全内部反射によって導波管内を第１の方向に伝搬するように再指向するように構成される、内部結合光学要素とを備える。回折領域は、投影光学系からの光のビームの第１の部分が、回折領域上に入射し、投影光学系からの光のビームの第２の部分が、回折領域上に入射せずに、導波管上に衝突するようにサイズ決めおよび成形される。
【０００７】
回折領域は、高効率回折領域であってもよく、内部結合光学要素は、投影光学系からの光のビームの第２の部分が低効率回折領域上に入射するようにサイズ決めおよび成形される、低効率回折領域をさらに備える。高効率回折領域は、金属化された格子部分を備える、反射性回折領域であってもよく、低効率回折領域は、非金属化された格子部分を備えてもよい。光のビームの第２の部分は、導波管の中に内部結合されずに、第２の主要表面を通して、導波管から外に伝搬し得る。光のビームの第２の部分は、光のビームの第１の部分に対してより低い効率で導波管の中に内部結合され得る。回折領域は、投影光学系からの光のビームのビーム軸における伝搬方向と垂直な対称軸を中心として反射非対称であってもよい。導波管は、導波管スタックの一部であってもよく、導波管スタックはさらに、第１の主要表面および第２の主要表面を備える、第２の導波管と、第２の導波管の第２の主要表面上に配置される、第２の内部結合光学要素であって、光のビームによって画定された面積の回折領域によって被覆される割合に対して、投影光学系からの光の第２のビームによって画定された面積のより大きい割合を被覆する、第２の回折領域を備える、第２の内部結合光学要素とを備える。第２の回折領域は、第２の光のビームの実質的に全てを内部結合するように構成されてもよい。第１の導波管の回折領域は、投影光学系からの光のビームのビーム軸における伝搬方向と垂直な対称軸を中心として反射非対称であってもよく、第２の回折領域は、第２の光のビームのビーム軸における伝搬方向と垂直な第２の対称軸を中心として反射対称であってもよい。第２の導波管は、導波管と投影光学系との間に配置されてもよく、導波管は、投影光学系から投影光学系の焦点距離を上回る距離で離間されてもよい。
【０００８】
いくつかの側面は、第１の主要表面と、第２の主要表面と、第２の主要表面上に配置される、内部結合回折光学要素であって、内部結合光学要素は、入射光を内部結合するように構成される、回折領域を備え、伝搬方向と平行な回折領域の幅は、伝搬方向と垂直な回折領域の長さより短い、内部結合回折光学要素とを備える、導波管を含む。
【０００９】
回折領域の幅は、回折領域の長さの８０％未満であってもよい。回折領域は、高効率回折領域であってもよく、内部結合回折光学要素は、伝搬方向に沿って高効率回折領域に隣接して配置される、低効率回折領域をさらに備える。高効率回折領域は、金属化された回折格子部分を備える、反射性回折領域であってもよく、低効率回折領域は、非金属化された回折格子部分を備えてもよい。高効率回折領域および低効率回折領域は、部分的に、金属化された回折格子を形成してもよく、回折格子は、高効率回折領域内で金属化され、低効率回折領域内で非金属化される。内部結合回折光学要素は、実質的に等しい長さおよび幅を有する内部結合光学要素と比較して、内部結合された光の再バウンスの発生を低減させるようにサイズ決めおよび成形されてもよい。
【００１０】
いくつかの側面は、頭部搭載型ディスプレイシステムのための導波管スタックを含む。導波管スタックは、第１の導波管であって、第１の主要表面と、第１の主要表面に対向する、第２の主要表面と、第２の主要表面上に配置される、第１の内部結合回折光学要素であって、光源からの入射光を再指向し、全内部反射によって、第１の導波管内を伝搬方向に伝搬するように構成される、第１の回折領域を備える、第１の内部結合回折光学要素とを備える、第１の導波管と、第２の導波管であって、第１の主要表面と、第２の導波管の第１の主要表面に対向する第２の主要表面と、第２の導波管の第２の主要表面上に配置される、第２の内部結合回折光学要素であって、光源からの入射光を再指向し、全内部反射によって、第２の導波管内を伝搬方向に伝搬するように構成される、第２の回折領域を備える、第２の内部結合回折光学要素を備える、第２の導波管とを備える。第２の回折領域の幅対長さ比は、第１の回折領域の幅対長さ比より小さい。
【００１１】
導波管スタックは、光源と第１の回折領域との間の距離が、光源の焦点距離上にあって、光源と第２の回折領域との間の距離が、焦点距離を上回るように、光源から離間されてもよい。第１の回折領域の幅対長さ比は、８０％を上回ってもよく、第２の回折領域の幅対長さ比は、８０％未満であってもよい。第２の回折領域は、高効率回折領域であってもよく、第２の内部結合回折光学要素はさらに、伝搬方向に沿って高効率回折領域に直接隣接して配置される、低効率回折領域を備えてもよい。高効率回折領域は、回折格子の金属化された部分を備えてもよく、低効率回折領域は、回折格子の非金属化された部分を備えてもよい。第２の内部結合回折光学要素は、第１の回折領域の幅対長さ比に等しい幅対長さ比を有する内部結合回折光学要素と比較して、内部結合された光の再バウンスの発生を低減させるようにサイズ決めおよび成形されてもよい。
【００１２】
いくつかの側面は、反射性層を備える光学導波管構造を作製する方法を含む。本方法は、表面を備える光学導波管を提供するステップであって、表面は、突出部のパターンを備える領域を備える、ステップと、液体混合物を領域の少なくとも一部上に堆積させるステップであって、液体混合物は、金属塩を含む、ステップと、領域を金属塩の金属でコーティングすることによって、反射性層を形成するステップであって、領域をコーティングステップは、金属を金属塩から解離することによって、金属を領域上に析出するステップを含む、ステップとを含む。
【００１３】
金属を金属塩から解離するステップは、還元剤に暴露することによって、金属塩を還元させるステップを含んでもよい。還元剤は、アルファ−ヒドロキシアルデヒドを含む炭水化物またはアルファ−ヒドロキシケトンを含む炭水化物のうちの少なくとも１つを備えてもよい。液体混合物は、還元剤を備えてもよい。本方法はさらに、液体混合物を堆積させた後、還元剤を液体混合物に添加するステップを含んでもよい。反射性層を形成するステップは、１つ以上の面積を金属のない領域の周囲に残しながら、反射性層を領域上に選択的に形成するステップを含んでもよい。導波管の表面は、領域内に体積を画定する、垂直に延在する壁を備えてもよく、液体混合物を堆積させるステップは、堆積混合物を体積の中に堆積させるステップを含む。突出部は、回折光学要素を画定してもよく、突出部および反射性層は、反射性回折光学要素を形成する。回折光学要素は、光が全内部反射によって導波管を通して伝搬するような角度で、入射光を再指向するように構成される、内部結合光学要素であってもよい。突出部は、フォトレジストを備えてもよい。本方法はさらに、液体混合物を付加的光学導波管の表面の付加的領域上に堆積させることによって、付加的反射性層を付加的光学導波管上に形成するステップであって、付加的反射性光学要素は、入射光を反射させるように構成される、ステップと、少なくとも付加的導波管を導波管の表面に取り付け、それによって、導波管のスタックを生産するステップとを含んでもよい。領域の親水性は、液体混合物を堆積させるステップに先立って、プラズマ、界面活性剤、コーティング、湿式化学エッチング液、および触媒から成る群から選択される、１つ以上のエージェントを用いて領域を選択的に事前に処理することによって、増加され得る。プラズマで領域を事前に処理するステップは、大気プラズマ処理を実施するステップを含んでもよい。湿式化学エッチング剤は、クロム酸を含んでもよい。コーティングは、シリカを含んでもよい。触媒は、スズまたはパラジウムを含んでもよい。本方法はさらに、液体混合物を堆積させるステップに先立って、触媒を領域に選択的に適用するステップを含んでもよく、触媒は、銀塩の還元を促すように構成される。液体混合物は、本質的に、金属塩、還元剤、および塩基から成ってもよい。反射性層は、純または実質的に純金属であってもよい。液体混合物は、ナノ分注、マイクロ分注、マイクロパイピング、インクジェット印刷、および噴霧のうちの少なくとも１つによって、領域上に堆積されてもよい。本方法はさらに、金属の析出に続いて、残留液体混合物材料を除去するステップを含んでもよい。残留液晶混合物を除去するステップは、光学導波管を濯洗するステップを含んでもよい。本方法はさらに、キャッピング層を反射性層上に堆積させるステップを含んでもよい。反射性層は、ピンホールがないまたは実質的にない状態であり得る。金属は、銀であってもよい。
【００１４】
いくつかの側面は、反射性回折光学要素を備える、第１の導波管を備える、光学デバイスを含む。反射性回折光学要素は、第１の導波管の表面上の突出部と、突出部上の界面層と、界面層上の反射性層とを備える。
【００１５】
界面層は、プラズマ処理表面、界面活性剤層、および触媒のうちの１つ以上のものを備えてもよい。触媒は、スズまたはパラジウム含有複合物のうちの１つ以上のものを含んでもよい。反射性層は、少なくとも９５％金属であってもよい。反射性層は、ピンホールが実質的にない状態であり得る。反射性回折光学要素は、光が全内部反射によって第１の導波管を通して伝搬するような角度で、入射光を再指向するように構成される、内部結合光学要素であってもよい。反射性層は、少なくとも８５％の反射率を伴って、入射光を反射させてもよい。光学デバイスはさらに、第２の導波管および第３の導波管を備えてもよく、第２の導波管は、第３の導波管と異なる波長の範囲の光を出力するように構成され、第１、第２、および第３の導波管はそれぞれ、第１の導波管の表面上の突出部と、突出部上の界面層と、界面層上の反射性層とを備える、反射性回折光学要素を備える。第１の表面は、反射性層の境界を画定する、壁を備えてもよい。壁は、第１の導波管と他の導波管との間に空間を維持するように構成される、機械的スペーサを備えてもよい。光学デバイスは、空間光変調器を備える、ディスプレイシステムであってもよく、空間光変調器は、画像情報を含有する光を反射性回折光学要素上に出力するように構成される。光学デバイスはさらに、反射性層上のキャッピング層を備えてもよい。
【図面の簡単な説明】
【００１６】
【図１】図１は、ＡＲデバイスを通した拡張現実（ＡＲ）のユーザのビューを図示する。
【００１７】
【図２】図２は、ユーザのための３次元画像をシミュレートするための従来のディスプレイシステムを図示する。
【００１８】
【図３】図３Ａ−３Ｃは、曲率半径と焦点半径との間の関係を図示する。
【００１９】
【図４Ａ】図４Ａは、ヒト視覚系の遠近調節（ａｃｃｏｍｍｏｄａｔｉｏｎ）−輻輳・開散運動（ｖｅｒｇｅｎｃｅ）応答の表現を図示する。
【００２０】
【図４Ｂ】図４Ｂは、一対のユーザの眼の異なる遠近調節状態および輻輳・開散運動状態の実施例を図示する。
【００２１】
【図４Ｃ】図４Ｃは、ディスプレイシステムを介してコンテンツを視認しているユーザの上下図の表現の実施例を図示する。
【００２２】
【図４Ｄ】図４Ｄは、ディスプレイシステムを介してコンテンツを視認しているユーザの上下図の表現の別の実施例を図示する。
【００２３】
【図５】図５は、波面発散を修正することによって３次元画像をシミュレートするためのアプローチの側面を図示する。
【００２４】
【図６】図６は、画像情報をユーザに出力するための導波管スタックの実施例を図示する。
【００２５】
【図７】図７は、導波管によって出力された出射ビームの実施例を図示する。
【００２６】
【図８】図８は、スタックされた導波管アセンブリの実施例を図示し、各深度平面は、複数の異なる原色を使用して形成される画像を含む。
【００２７】
【図９Ａ】図９Ａは、それぞれ、内部結合光学要素を含む、スタックされた導波管のセットの実施例の断面側面図を図示する。
【００２８】
【図９Ｂ】図９Ｂは、図９Ａの複数のスタックされた導波管の実施例の斜視図を図示する。
【００２９】
【図９Ｃ】図９Ｃは、図９Ａおよび９Ｂの複数のスタックされた導波管の実施例の上下平面図を図示する。
【００３０】
【図９Ｄ】図９Ｄは、ウェアラブルディスプレイシステムの実施例を図示する。
【００３１】
【図１０】図１０は、光を視認者に指向するための光プロジェクタシステムおよび導波管の断面図の実施例を図示する。
【００３２】
【図１１Ａ】図１１Ａおよび１１Ｂは、異なる入射角における導波管の中への光の内部結合の実施例を図示する。
【図１１Ｂ】図１１Ａおよび１１Ｂは、異なる入射角における導波管の中への光の内部結合の実施例を図示する。
【００３３】
【図１２Ａ】図１２Ａおよび１２Ｂは、導波管内で内部結合された光の再バウンスの影響の実施例を図示する。
【図１２Ｂ】図１２Ａおよび１２Ｂは、導波管内で内部結合された光の再バウンスの影響の実施例を図示する。
【００３４】
【図１３】図１３Ａ−１３Ｃは、対応する投影光学系の焦点距離を越えて配置される導波管内の再バウンスの分布率を図示する、導波管スタックおよび構成導波管の実施例を描写する。
【００３５】
【図１４】図１４Ａ−１４Ｂは、例示的導波管内の内部結合光学要素の切頂の実施例を図示する。
【００３６】
【図１５】図１５は、導波管スタック内の内部結合光学要素の例示的配列の上下図を図示する。
【００３７】
【図１６】図１６および１７は、内部結合光学要素の切頂に起因して向上された内部結合効率の実施例を図示する。
【図１７】図１６および１７は、内部結合光学要素の切頂に起因して向上された内部結合効率の実施例を図示する。
【００３８】
【図１８】図１８Ａおよび１８Ｂは、透過性内部結合光学要素を有する、導波管および導波管スタックの実施例を描写する。
【００３９】
【図１９Ａ】図１９Ａは、いくつかの実施形態による、突出部のパターン上に堆積される、反射性層の概略断面側面図を示す。
【００４０】
【図１９Ｂ】図１９Ｂは、いくつかの他の実施形態による、突出部のパターン上に堆積される、反射性層の概略断面側面図を示す。
【００４１】
【図１９Ｃ】図１９Ｃは、さらに他の実施形態による、突出部のパターン上に堆積される、反射性層の概略断面側面図を示す。
【００４２】
【図２０Ａ】図２０Ａは、いくつかの実施形態による、反射性層を反射性流動可能材料から突出部のパターン上に形成するための閉じ込められた面積の概略斜視図を示す。
【００４３】
【図２０Ｂ】図２０Ｂは、いくつかの実施形態による、反射性層を反射性流動可能材料から突出部のパターン上に形成するための図２０Ａの閉じ込められた面積の概略断面側面図を示す。
【００４４】
【図２１Ａ−１】図２１Ａは、金属インクを使用して銀層を形成するための「タイプ１」反応の概略図である。
【図２１Ａ−２】図２１Ａは、金属インクを使用して銀層を形成するための「タイプ１」反応の概略図である。
【００４５】
【図２１Ｂ】図２１Ｂは、金属インクを使用して銀層を形成するための「タイプ２」反応の概略図である。
【００４６】
【図２１Ｃ】図２１Ｃは、いくつかの実施形態による、銀イオン還元を使用して銀層を形成するための「タイプ３」反応の概略図である。
【００４７】
【図２２Ａ】図２２Ａは、金属インクによって形成される、銀層の電子顕微鏡写真である。
【００４８】
【図２２Ｂ】図２２Ｂは、金属インクによって形成される、別の銀層の電子顕微鏡写真である。
【００４９】
【図２２Ｃ】図２２Ｃは、いくつかの実施形態による、銀イオン還元を使用して形成される、反射性層の電子顕微鏡写真である。
【００５０】
【図２２Ｄ】図２２Ｄは、金属インクによって形成される、銀層のテープ剥離試験の電子顕微鏡写真である。
【００５１】
【図２２Ｅ】図２２Ｅは、金属インクによって形成される、銀層の別のテープ剥離試験の電子顕微鏡写真である。
【００５２】
【図２２Ｆ】図２２Ｆは、いくつかの実施形態による、銀イオン還元を使用して形成される、銀層のテープ剥離試験の電子顕微鏡写真である。
【００５３】
【図２３】図２３は、銀イオン還元を使用して形成される銀層、蒸着によって形成されるアルミニウム層、および銀インクから形成される反射性層の反射度（％）を示す、グラフである。
【００５４】
【図２４】図２４は、銀イオン還元を使用して形成される銀層および蒸着によって形成されるアルミニウム層の安定性を示す、グラフである。
【００５５】
【図２５】図２５は、本明細書に説明されるような光学導波管構造を作製する方法を図示する、フロー図である。
【発明を実施するための形態】
【００５６】
ＡＲおよび／またはＶＲシステムは、仮想コンテンツをユーザ、すなわち、視認者に表示し得る。好ましくは、本コンテンツは、例えば、画像情報をユーザの眼に投影する、眼鏡類の一部としての頭部搭載型ディスプレイ上に表示される。加えて、システムが、ＡＲシステムである場合、ディスプレイはまた、ユーザの周囲環境からの光を眼に透過させ、その周囲環境のビューを可能にし得る。本明細書で使用されるように、「頭部搭載型」または「頭部搭載可能」ディスプレイは、視認者またはユーザの頭部上に搭載され得る、ディスプレイであることを理解されたい。
【００５７】
いくつかのディスプレイシステムでは、導波管のスタックを構成する、複数の導波管が、仮想画像を、ユーザから離れた異なる距離にあるように知覚される、複数の仮想深度平面（本明細書では、単に、「深度平面」とも称される）に形成するように構成され得る。いくつかの実施形態では、導波管のスタックの異なる導波管は、異なる屈折力を提供する、光学構造を有し得、ユーザの眼から異なる距離におけるオブジェクトから伝搬する光の波面発散をシミュレートし得る。いくつかの実施形態では、屈折力を提供するための導波管光学構造の代替として、またはそれに加え、ディスプレイシステムはまた、屈折力を提供する、または加えて提供する、複数のレンズを含んでもよい。画像源からの光は、導波管に向かって指向され得、各導波管の内部結合光学要素によって個々の導波管の中に内部結合され得る。内部結合光学要素は、格子等の回折光学要素であってもよい。
【００５８】
いくつかの実施形態では、本明細書に説明されるシステムおよび方法は、内部結合された光の再バウンスに起因した光損失の発生を低減させることによって、内部結合効率および／または内部結合された光の均一性を向上させるように構成される、内部結合光学要素を含む。再バウンスは、導波管に沿って伝搬する内部結合された光が、初期内部結合入射後、２回目または後続回数として、内部結合光学要素に衝打するときに生じる。より詳細に説明されるであろうように、再バウンスは、内部結合された光の一部が、望ましくないことに、内部結合光学要素の材料によって外部結合および／または吸収される結果をもたらし得る。外部結合および／または吸光は、望ましくないことに、全体的内部結合効率および／または内部結合された光の均一性の低減を生じさせ得る。
【００５９】
本明細書に開示されるいくつかの実施形態は、回折光学要素を提供し、これもまた、内部結合光学要素であって、導波管内で内部結合された光の再バウンスに起因する光損失を軽減させるように構成され得る。入射光を内部結合することに応じて、回折光学要素は、概して、導波管を通して伝搬方向に伝搬するように、光を再指向し得る。ある場合には、内部結合された光の再バウンスは、内部結合光学要素の側面に向かって伝搬方向に生じる。例えば、最初に、内部結合光学要素の反対（伝搬方向に対向する）側の近傍に内部結合された一部の入射光は、再バウンスし得る、すなわち、導波管の別の表面から反射後、再び、内部結合光学要素に衝打し得る。理論によって限定されるわけではないが、内部結合光学要素に衝打することに応じて、再び、入射光の一部は、望ましくないことに、光学要素によって外部結合され得、および／または光学要素によって吸収され得る（例えば、内部結合光学要素が反射性回折光学要素である場合、回折格子上の反射性コーティングによって吸収される）。
【００６０】
いくつかの実施形態では、再バウンスに起因する光損失を軽減させるために、内部結合光学要素は、光学要素の伝搬方向側において切頂される。有利なこととして、切頂は、再バウンスが望ましくない光損失をもたらす可能性が高い、内部結合光学要素の利用可能な面積を低減させることによって、再バウンスによって生じる光損失の発生を低減させ得る。いくつかの実施形態では、切頂は、内部結合光学要素の全ての構造の完全切頂であってもよく、例えば、切頂は、光伝搬の方向における内部結合光学要素の面積の低減を伴ってもよい。内部結合光学要素が反射性コーティング（例えば、金属層等の反射性層）を備える、いくつかの他の実施形態では、伝搬方向側における内部結合光学要素の一部は、伝搬方向側における光学要素の部分が、殆ど再バウンス光を吸収しない、および／またはより低い効率を伴って再バウンス光を外部結合するように、コーティングされなくてもよい。いくつかの実施形態では、上下図に見られるように、内部結合光学要素の回折領域は、伝搬方向に沿って、伝搬方向と垂直なその長さより短い幅を有してもよい、非切頂回折領域に対してより小さい幅対長さ比を有してもよい、および／または投影光学系からの光のビームの第１の部分が、回折領域上に入射し、光のビームの第２の部分が、回折領域上に入射せずに導波管上に衝突するように、サイズ決めおよび成形されてもよい（例えば、高吸収率および／または外部結合効率を有する光学要素の部分は、好ましくは、導波管上の光の入射ビームによって作り出される面積よりサイズが小さい）。いくつかの実施形態では、導波管のスタックにわたって、切頂の量は、導波管間で変動する。例えば、各導波管の内部結合光学要素の幅対長さ比は、導波管のスタックの異なる導波管間で変動し得る。
【００６１】
導波管は、光学要素を使用して、外部光を内部結合し、および／または導波管内を伝搬する光を所望の方向に再指向してもよい。例えば、光学要素は、回折格子および／またはファセット特徴の形態をとってもよい。いくつかの光学要素は、反射性モードで作用してもよく、光学要素上に１つ以上の角度から入射する光は、異なる所望の角度で光学要素から離れるように伝搬するように、反射および再指向の両方を行う。本明細書に開示されるように、そのような導波管は、拡張現実および仮想現実ディスプレイシステム等のディスプレイシステムの一部を形成してもよい。例えば、導波管は、画像情報を含有する光を内部結合し、その光をユーザに分散および外部結合するように構成されてもよい。例示的導波管および光学要素は、本明細書でより詳細に議論されるであろう。反射性光学要素は、湿式化学作用によって形成される反射性層を含んでもよく、これは、有利なこととして、本明細書に議論されるように、より優れた回折効率を提供し得る。
【００６２】
ここで、同様の参照番号が全体を通して同様の部分を指す、図面を参照する。別様に示されない限り、図面は、概略であって、必ずしも、正確な縮尺で描かれていない。
【００６３】
例示的ディスプレイシステム
図２は、ユーザのための３次元画像をシミュレートするための従来のディスプレイシステムを図示する。ユーザの眼は、離間されており、空間内の実オブジェクトを見ているとき、各眼は、オブジェクトの若干異なるビューを有し、オブジェクトの画像を各眼の網膜上の異なる場所に形成し得ることを理解されたい。これは、両眼視差と称され得、ヒト視覚系によって、深度の知覚を提供するために利用され得る。従来のディスプレイシステムは、仮想オブジェクトが所望の深度における実オブジェクトであるように各眼によって見えるであろう仮想オブジェクトのビューに対応する、眼２１０、２２０毎に１つの同一仮想オブジェクトの若干異なるビューを伴う２つの明確に異なる画像１９０、２００を提示することによって、両眼視差をシミュレートする。これらの画像は、ユーザの視覚系が深度の知覚を導出するために解釈する、両眼キューを提供する。
【００６４】
図２を継続して参照すると、画像１９０、２００は、ｚ−軸上で距離２３０だけ眼２１０、２２０から離間される。ｚ−軸は、その眼が視認者の直前の光学無限遠におけるオブジェクトを凝視している状態の視認者の光学軸と平行である。画像１９０、２００は、平坦であって、眼２１０、２２０から固定距離にある。それぞれ、眼２１０、２２０に提示される画像内の仮想オブジェクトの若干異なるビューに基づいて、眼は、必然的に、オブジェクトの画像が眼のそれぞれの網膜上の対応する点に来て、単一両眼視を維持するように回転し得る。本回転は、眼２１０、２２０のそれぞれの視線を仮想オブジェクトが存在するように知覚される空間内の点上に収束させ得る。その結果、３次元画像の提供は、従来、ユーザの眼２１０、２２０の輻輳・開散運動を操作し得、ヒト視覚系が深度の知覚を提供するように解釈する、両眼キューを提供することを伴う。
【００６５】
しかしながら、深度の現実的かつ快適な知覚の生成は、困難である。眼からの異なる距離におけるオブジェクトからの光は、異なる発散量を伴う波面を有することを理解されたい。図３Ａ−３Ｃは、距離と光線の発散との間の関係を図示する。オブジェクトと眼２１０との間の距離は、減少距離Ｒ１、Ｒ２、およびＲ３の順序で表される。図３Ａ−３Ｃに示されるように、光線は、オブジェクトまでの距離が減少するにつれてより発散する。逆に言えば、距離が増加するにつれて、光線は、よりコリメートされる。換言すると、点（オブジェクトまたはオブジェクトの一部）によって生成されるライトフィールドは、点がユーザの眼から離れている距離の関数である、球状波面曲率を有すると言え得る。曲率は、オブジェクトと眼２１０との間の距離が減少するにつれて増加する。単眼２１０のみが、例証を明確にするために、図３Ａ−３Ｃおよび本明細書の種々の他の図に図示されるが、眼２１０に関する議論は、視認者の両眼２１０および２２０に適用され得る。
【００６６】
図３Ａ−３Ｃを継続して参照すると、視認者の眼が凝視しているオブジェクトからの光は、異なる波面発散度を有し得る。異なる波面発散量に起因して、光は、眼の水晶体によって異なるように集束され得、これは、ひいては、水晶体に、異なる形状をとり、集束された画像を眼の網膜上に形成することを要求し得る。集束された画像が、網膜上に形成されない場合、結果として生じる網膜ぼけは、集束された画像が網膜上に形成されるまで、眼の水晶体の形状に変化を生じさせる、遠近調節のためのキューとして作用する。例えば、遠近調節のためのキューは、眼の水晶体を囲繞する毛様筋の弛緩または収縮をトリガし、それによって、レンズを保持する低靱帯に印加される力を変調し、したがって、固視しているオブジェクトの網膜ぼけが排除または最小限にされるまで、眼の水晶体の形状を変化させ、それによって、凝視されているオブジェクトの集束された画像を眼の網膜（例えば、中心窩）上に形成し得る。眼の水晶体が形状を変化させるプロセスは、遠近調節と称され得、凝視されているオブジェクトの集束された画像を眼の網膜（例えば、中心窩）上に形成するために要求される眼の水晶体の形状は、遠近調節状態と称され得る。
【００６７】
ここで図４Ａを参照すると、ヒト視覚系の遠近調節−輻輳・開散運動応答の表現が、図示される。オブジェクトを凝視するための眼の移動は、眼にオブジェクトからの光を受光させ、光は、画像を眼の網膜のそれぞれ上に形成する。網膜上に形成される画像内の網膜ぼけの存在は、遠近調節のためのキューを提供し得、網膜上の画像の相対的場所は、輻輳・開散運動のためのキューを提供し得る。遠近調節するためのキューは、遠近調節を生じさせ、眼の水晶体がオブジェクトの集束された画像を眼の網膜（例えば、中心窩）上に形成する特定の遠近調節状態をとる結果をもたらす。一方、輻輳・開散運動のためのキューは、各眼の各網膜上に形成される画像が単一両眼視を維持する対応する網膜点にあるように、輻輳・開散運動移動（眼の回転）を生じさせる。これらの位置では、眼は、特定の輻輳・開散運動状態をとっていると言え得る。図４Ａを継続して参照すると、遠近調節は、眼が特定の遠近調節状態を達成するプロセスであると理解され得、輻輳・開散運動は、眼が特定の輻輳・開散運動状態を達成するプロセスであると理解され得る。図４Ａに示されるように、眼の遠近調節および輻輳・開散運動状態は、ユーザが別のオブジェクトを凝視する場合、変化し得る。例えば、遠近調節された状態は、ユーザがｚ−軸上の異なる深度における新しいオブジェクトを凝視する場合、変化し得る。
【００６８】
理論によって限定されるわけではないが、オブジェクトの視認者は、輻輳・開散運動および遠近調節の組み合わせに起因して、オブジェクトを「３次元」であると知覚し得ると考えられる。前述のように、２つの眼の相互に対する輻輳・開散運動移動（例えば、瞳孔が相互に向かって、またはそこから移動し、眼の視線を収束させ、オブジェクトを凝視するような眼の回転）は、眼の水晶体の遠近調節と密接に関連付けられる。通常条件下では、眼の水晶体の形状を変化させ、１つのオブジェクトから異なる距離における別のオブジェクトに焦点を変化させることは、自動的に、「遠近調節−輻輳・開散運動反射」として知られる関係下、同一距離まで輻輳・開散運動における整合する変化を生じさせるであろう。同様に、輻輳・開散運動における変化は、通常条件下、水晶体形状における整合する変化をトリガするであろう。
【００６９】
ここで図４Ｂを参照すると、眼の異なる遠近調節および輻輳・開散運動状態の実施例が、図示される。対の眼２２２ａは、光学無限遠におけるオブジェクトを凝視する一方、対の眼２２２ｂは、光学無限遠未満におけるオブジェクト２２１を凝視する。着目すべきこととして、各対の眼の輻輳・開散運動状態は、異なり、対の眼２２２ａは、まっすぐ指向される一方、対の眼２２２は、オブジェクト２２１上に収束する。各対の眼２２２ａおよび２２２ｂを形成する眼の遠近調節状態もまた、水晶体２１０ａ、２２０ａの異なる形状によって表されるように異なる。
【００７０】
望ましくないことに、従来の「３−Ｄ」ディスプレイシステムの多くのユーザは、これらのディスプレイにおける遠近調節と輻輳・開散運動状態との間の不整合に起因して、そのような従来のシステムを不快であると見出す、または奥行感を全く知覚しない場合がある。前述のように、多くの立体視または「３−Ｄ」ディスプレイシステムは、若干異なる画像を各眼に提供することによって、場面を表示する。そのようなシステムは、それらが、とりわけ、単に、場面の異なる提示を提供し、眼の輻輳・開散運動状態に変化を生じさせるが、それらの眼の遠近調節状態に対応する変化を伴わないため、多くの視認者にとって不快である。むしろ、画像は、眼が全ての画像情報を単一遠近調節状態において視認するように、ディスプレイによって眼から固定距離に示される。そのような配列は、遠近調節状態における整合する変化を伴わずに輻輳・開散運動状態に変化を生じさせることによって、「遠近調節−輻輳・開散運動反射」に逆らう。本不整合は、視認者不快感を生じさせると考えられる。遠近調節と輻輳・開散運動との間のより良好な整合を提供する、ディスプレイシステムは、３次元画像のより現実的かつ快適なシミュレーションを形成し得る。
【００７１】
理論によって限定されるわけではないが、ヒトの眼は、典型的には、有限数の深度平面を解釈し、深度知覚を提供することができると考えられる。その結果、知覚された深度の高度に真実味のあるシミュレーションが、眼にこれらの限定数の深度平面のそれぞれに対応する画像の異なる提示を提供することによって達成され得る。いくつかの実施形態では、異なる提示は、輻輳・開散運動のためのキューおよび遠近調節するための整合するキューの両方を提供し、それによって、生理学的に正しい遠近調節−輻輳・開散運動整合を提供してもよい。
【００７２】
図４Ｂを継続して参照すると、眼２１０、２２０からの空間内の異なる距離に対応する、２つの深度平面２４０が、図示される。所与の深度平面２４０に関して、輻輳・開散運動キューが、眼２１０、２２０毎に適切に異なる視点の画像を表示することによって提供されてもよい。加えて、所与の深度平面２４０に関して、各眼２１０、２２０に提供される画像を形成する光は、その深度平面２４０の距離におけるある点によって生成されたライトフィールドに対応する波面発散を有してもよい。
【００７３】
図示される実施形態では、点２２１を含有する、深度平面２４０のｚ−軸に沿った距離は、１ｍである。本明細書で使用されるように、ｚ−軸に沿った距離または深度は、ユーザの眼の射出瞳に位置するゼロ点を用いて測定されてもよい。したがって、１ｍの深度に位置する深度平面２４０は、眼が光学無限遠に向かって指向された状態での、それらの眼の光学軸上のユーザの眼の射出瞳から１ｍ離れた距離に対応する。近似値として、ｚ−軸に沿った深度または距離は、ユーザの眼の正面のディスプレイ（例えば、導波管の表面）から測定され、デバイスとユーザの眼の射出瞳との間の距離に関する値が加えられてもよい。その値は、瞳距離と呼ばれ、ユーザの眼の射出瞳と眼の正面のユーザによって装着されるディスプレイとの間の距離に対応し得る。実際は、瞳距離に関する値は、概して、全ての視認者に関して使用される、正規化された値であってもよい。例えば、瞳距離は、２０ｍｍであると仮定され得、１ｍの深度における深度平面は、ディスプレイの正面の９８０ｍｍの距離にあり得る。
【００７４】
ここで図４Ｃおよび４Ｄを参照すると、整合遠近調節−輻輳・開散運動距離および不整合遠近調節−輻輳・開散運動距離の実施例が、それぞれ、図示される。図４Ｃに図示されるように、ディスプレイシステムは、仮想オブジェクトの画像を各眼２１０、２２０に提供してもよい。画像は、眼２１０、２２０に、眼が深度平面２４０上の点１５上に収束する、輻輳・開散運動状態をとらせ得る。加えて、画像は、その深度平面２４０における実オブジェクトに対応する波面曲率を有する光によって形成され得る。その結果、眼２１０、２２０は、画像がそれらの眼の網膜上に合焦する、遠近調節状態をとる。したがって、ユーザは、仮想オブジェクトを深度平面２４０上の点１５にあるように知覚し得る。
【００７５】
眼２１０、２２０の遠近調節および輻輳・開散運動状態はそれぞれ、ｚ−軸上の特定の距離と関連付けられることを理解されたい。例えば、眼２１０、２２０からの特定の距離におけるオブジェクトは、それらの眼に、オブジェクトの距離に基づいて、特定の遠近調節状態をとらせる。特定の遠近調節状態と関連付けられた距離は、遠近調節距離Ａｄと称され得る。同様に、特定の輻輳・開散運動状態における眼と関連付けられた特定の輻輳・開散運動距離Ｖｄまたは相互に対する位置が、存在する。遠近調節距離および輻輳・開散運動距離が整合する場合、遠近調節と輻輳・開散運動との間の関係は、生理学に正しいと言える。これは、視認者に最も快適なシナリオであると見なされる。
【００７６】
しかしながら、立体視ディスプレイでは、遠近調節距離および輻輳・開散運動距離は、常時、整合しない場合がある。例えば、図４Ｄに図示されるように、眼２１０、２２０に表示される画像は、深度平面２４０に対応する波面発散を伴って表示され得、眼２１０、２２０は、その深度平面上の点１５ａ、１５ｂが合焦する、特定の遠近調節状態をとり得る。しかしながら、眼２１０、２２０に表示される画像は、眼２１０、２２０を深度平面２４０上に位置しない点１５上に収束させる、輻輳・開散運動のためのキューを提供し得る。その結果、遠近調節距離は、いくつかの実施形態では、眼２１０、２２０の射出瞳から深度平面２４０の距離に対応する一方、輻輳・開散運動距離は、眼２１０、２２０の射出瞳から点１５までのより大きい距離に対応する。遠近調節距離は、輻輳・開散運動距離と異なる。その結果、遠近調節−輻輳・開散運動不整合が存在する。そのような不整合は、望ましくないと見なされ、不快感をユーザに生じさせ得る。不整合は、距離（例えば、Ｖｄ−Ａｄ）に対応し、ジオプタを使用して特性評価され得ることを理解されたい。
【００７７】
いくつかの実施形態では、同一参照点が遠近調節距離および輻輳・開散運動距離のために利用される限り、眼２１０、２２０の射出瞳以外の参照点が、遠近調節距離および輻輳・開散運動不整合を決定するための距離を決定するために利用されてもよいことを理解されたい。例えば、距離は、角膜から深度平面まで、網膜から深度平面、接眼レンズ（例えば、ディスプレイデバイスの導波管）から深度平面まで等で測定され得る。
【００７８】
理論によって限定されるわけではないが、ユーザは、依然として、不整合自体が有意な不快感を生じさせずに、生理学的に正しい最大０．２５ジオプタ、最大０．３３ジオプタ、および最大約０．５ジオプタの遠近調節−輻輳・開散運動不整合を知覚し得ると考えられる。いくつかの実施形態では、本明細書に開示されるディスプレイシステム（例えば、ディスプレイシステム２５０、図６）は、０．５ジオプタまたはそれ未満の遠近調節−輻輳・開散運動不整合を有する画像を視認者に提示する。いくつかの他の実施形態では、ディスプレイシステムによって提供される画像の遠近調節−輻輳・開散運動不整合は、約０．３３ジオプタまたはそれ未満である。さらに他の実施形態では、ディスプレイシステムによって提供される画像の遠近調節−輻輳・開散運動不整合は、約０．１ジオプタまたはそれ未満を含む、０．２５ジオプタまたはそれ未満である。
【００７９】
図５は、波面発散を修正することによって、３次元画像をシミュレートするためのアプローチの側面を図示する。ディスプレイシステムは、画像情報でエンコードされた光７７０を受光し、その光をユーザの眼２１０に出力するように構成される、導波管２７０を含む。導波管２７０は、所望の深度平面２４０上のある点によって生成されたライトフィールドの波面発散に対応する定義された波面発散量を伴って光６５０を出力してもよい。いくつかの実施形態では、同一量の波面発散が、その深度平面上に提示される全てのオブジェクトのために提供される。加えて、ユーザの他方の眼は、類似導波管からの画像情報を提供され得るように図示されるであろう。
【００８０】
いくつかの実施形態では、単一導波管が、単一または限定数の深度平面に対応する設定された波面発散量を伴う光を出力するように構成されてもよく、および／または導波管は、限定された範囲の波長の光を出力するように構成されてもよい。その結果、いくつかの実施形態では、複数またはスタックの導波管が、異なる深度平面のための異なる波面発散量を提供し、および／または異なる範囲の波長の光を出力するために利用されてもよい。本明細書で使用されるように、深度平面は、平面であってもよい、または湾曲表面の輪郭に追従してもよいことを理解されるであろう。スタックの１つ以上の導波管は、本明細書に説明されるように、純または実質的に純金属を含む、それから本質的に成る、またはそれから成る、反射性層を備える、反射性回折光学要素を備えてもよい。
【００８１】
図６は、画像情報をユーザに出力するための導波管スタックの実施例を図示する。ディスプレイシステム２５０は、複数の導波管２７０、２８０、２９０、３００、３１０を使用して３次元知覚を眼／脳に提供するために利用され得る、導波管のスタックまたはスタックされた導波管アセンブリ２６０を含む。ディスプレイシステム２５０は、いくつかの実施形態では、ライトフィールドディスプレイと見なされてもよいことを理解されたい。加えて、導波管アセンブリ２６０はまた、接眼レンズとも称され得る。
【００８２】
いくつかの実施形態では、ディスプレイシステム２５０は、輻輳・開散運動するための実質的に連続キューおよび遠近調節するための複数の離散キューを提供するように構成されてもよい。輻輳・開散運動のためのキューは、異なる画像をユーザの眼のそれぞれに表示することによって提供されてもよく、遠近調節のためのキューは、選択可能離散量の波面発散を伴う画像を形成する光を出力することによって提供されてもよい。換言すると、ディスプレイシステム２５０は、可変レベルの波面発散を伴う光を出力するように構成されてもよい。いくつかの実施形態では、波面発散の各離散レベルは、特定の深度平面に対応し、導波管２７０、２８０、２９０、３００、３１０のうちの特定の１つによって提供されてもよい。
【００８３】
図６を継続して参照すると、導波管アセンブリ２６０はまた、複数の特徴３２０、３３０、３４０、３５０を導波管間に含んでもよい。いくつかの実施形態では、特徴３２０、３３０、３４０、３５０は、１つ以上のレンズであってもよい。導波管２７０、２８０、２９０、３００、３１０および／または複数のレンズ３２０、３３０、３４０、３５０は、種々のレベルの波面曲率または光線発散を用いて画像情報を眼に送信するように構成されてもよい。各導波管レベルは、特定の深度平面と関連付けられてもよく、その深度平面に対応する画像情報を出力するように構成されてもよい。画像投入デバイス３６０、３７０、３８０、３９０、４００は、導波管のための光源として機能してもよく、画像情報を導波管２７０、２８０、２９０、３００、３１０の中に投入するために利用されてもよく、それぞれ、本明細書に説明されるように、眼２１０に向かって出力のために各個別の導波管を横断して入射光を分散させるように構成されてもよい。光は、画像投入デバイス３６０、３７０、３８０、３９０、４００の出力表面４１０、４２０、４３０、４４０、４５０から出射し、導波管２７０、２８０、２９０、３００、３１０の対応する入力表面４６０、４７０、４８０、４９０、５００の中に投入される。いくつかの実施形態では、入力表面４６０、４７０、４８０、４９０、５００はそれぞれ、対応する導波管の縁であってもよい、または対応する導波管の主要表面の一部（すなわち、世界５１０または視認者の眼２１０に直接面する導波管表面のうちの１つ）であってもよい。いくつかの実施形態では、光の単一ビーム（例えば、コリメートされたビーム）が、各導波管の中に投入され、クローン化されたコリメートビームの全体場を出力してもよく、これは、特定の導波管と関連付けられた深度平面に対応する特定の角度（および発散量）において眼２１０に向かって指向される。いくつかの実施形態では、画像投入デバイス３６０、３７０、３８０、３９０、４００のうちの単一の１つは、複数（例えば、３つ）の導波管２７０、２８０、２９０、３００、３１０と関連付けられ、その中に光を投入してもよい。
【００８４】
いくつかの実施形態では、画像投入デバイス３６０、３７０、３８０、３９０、４００はそれぞれ、それぞれ対応する導波管２７０、２８０、２９０、３００、３１０の中への投入のために画像情報を生成する、離散ディスプレイである。いくつかの他の実施形態では、画像投入デバイス３６０、３７０、３８０、３９０、４００は、例えば、画像情報を１つ以上の光学導管（光ファイバケーブル等）を介して画像投入デバイス３６０、３７０、３８０、３９０、４００のそれぞれに送り得る、単一の多重化されたディスプレイの出力端である。画像投入デバイス３６０、３７０、３８０、３９０、４００によって提供される画像情報は、異なる波長または色（例えば、本明細書に議論されるように、異なる原色）の光を含んでもよいことを理解されたい。
【００８５】
いくつかの実施形態では、導波管２７０、２８０、２９０、３００、３１０の中に投入される光は、光プロジェクタシステム５２０によって提供され、これは、光モジュール５３０を備え、これは、発光ダイオード（ＬＥＤ）等の光エミッタを含んでもよい。光モジュール５３０からの光は、ビームスプリッタ５５０を介して、光変調器５４０、例えば、空間光変調器によって指向および修正されてもよい。光変調器５４０は、導波管２７０、２８０、２９０、３００、３１０の中に投入される光の知覚される強度を変化させ、光を画像情報でエンコードするように構成されてもよい。空間光変調器の実施例は、液晶ディスプレイ（ＬＣＤ）を含み、シリコン上液晶（ＬＣＯＳ）ディスプレイを含む。画像投入デバイス３６０、３７０、３８０、３９０、４００は、図式的に図示され、いくつかの実施形態では、これらの画像投入デバイスは、光を導波管２７０、２８０、２９０、３００、３１０の関連付けられたものの中に出力するように構成される、共通投影システム内の異なる光経路および場所を表し得ることを理解されたい。いくつかの実施形態では、導波管アセンブリ２６０の導波管は、導波管の中に投入された光をユーザの眼に中継しながら、理想的レンズとして機能し得る。本概念では、オブジェクトは、空間光変調器５４０であってもよく、画像は、深度平面上の画像であってもよい。
【００８６】
いくつかの実施形態では、ディスプレイシステム２５０は、光を種々のパターン（例えば、ラスタ走査、螺旋走査、リサジューパターン等）で１つ以上の導波管２７０、２８０、２９０、３００、３１０の中に、最終的には、視認者の眼２１０に投影するように構成される、１つ以上の走査ファイバを備える、走査ファイバディスプレイであってもよい。いくつかの実施形態では、図示される画像投入デバイス３６０、３７０、３８０、３９０、４００は、光を１つまたは複数の導波管２７０、２８０、２９０、３００、３１０の中に投入するように構成される、単一走査ファイバまたは走査ファイバの束を図式的に表し得る。いくつかの他の実施形態では、図示される画像投入デバイス３６０、３７０、３８０、３９０、４００は、複数の走査ファイバまたは走査ファイバの複数の束を図式的に表し得、それぞれ、光を導波管２７０、２８０、２９０、３００、３１０のうちの関連付けられた１つの中に投入するように構成される。１つ以上の光ファイバは、光を光モジュール５３０から１つ以上の導波管２７０、２８０、２９０、３００、３１０に透過するように構成されてもよいことを理解されたい。１つ以上の介在光学構造が、走査ファイバまたは複数のファイバと、１つ以上の導波管２７０、２８０、２９０、３００、３１０との間に提供され、例えば、走査ファイバから出射する光を１つ以上の導波管２７０、２８０、２９０、３００、３１０の中に再指向してもよいことを理解されたい。
【００８７】
コントローラ５６０は、画像投入デバイス３６０、３７０、３８０、３９０、４００、光源５３０、および光変調器５４０の動作を含む、スタックされた導波管アセンブリ２６０のうちの１つ以上のものの動作を制御する。いくつかの実施形態では、コントローラ５６０は、ローカルデータ処理モジュール１４０の一部である。コントローラ５６０は、例えば、本明細書に開示される種々のスキームのいずれかに従って、導波管２７０、２８０、２９０、３００、３１０への画像情報のタイミングおよびプロビジョニングを調整する、プログラミング（例えば、非一過性媒体内の命令）を含む。いくつかの実施形態では、コントローラは、単一一体型デバイスまたは有線または無線通信チャネルによって接続される分散型システムであってもよい。コントローラ５６０は、いくつかの実施形態では、処理モジュール１４０または１５０（図９Ｄ）の一部であってもよい。
【００８８】
図６を継続して参照すると、導波管２７０、２８０、２９０、３００、３１０は、全内部反射（ＴＩＲ）によって各個別の導波管内で光を伝搬するように構成されてもよい。導波管２７０、２８０、２９０、３００、３１０はそれぞれ、主要な上部および底部表面およびそれらの主要上部表面と底部表面との間に延在する縁を伴う、平面である、または別の形状（例えば、湾曲）を有してもよい。図示される構成では、導波管２７０、２８０、２９０、３００、３１０はそれぞれ、各個別の導波管内で伝搬する光を導波管から再指向し、画像情報を眼２１０に出力することによって、光を導波管から抽出するように構成される、外部結合光学要素５７０、５８０、５９０、６００、６１０を含んでもよい。抽出された光はまた、外部結合光と称され得、外部結合光学要素はまた、光抽出光学要素と称され得る。抽出された光のビームは、導波管によって、導波管内を伝搬する光が光抽出光学要素に衝打する場所において出力され得る。外部結合光学要素５７０、５８０、５９０、６００、６１０は、例えば、本明細書にさらに議論されるような回折光学特徴を含む、格子であってもよい。説明の容易性および図面の明確性のために、導波管２７０、２８０、２９０、３００、３１０の底部主要表面に配置されて図示されるが、いくつかの実施形態では、外部結合光学要素５７０、５８０、５９０、６００、６１０は、本明細書にさらに議論されるように、上部および／または底部主要表面に配置されてもよい、および／または導波管２７０、２８０、２９０、３００、３１０の体積内に直接配置されてもよい。いくつかの実施形態では、外部結合光学要素５７０、５８０、５９０、６００、６１０は、透明基板に取り付けられ、導波管２７０、２８０、２９０、３００、３１０を形成する、材料の層内に形成されてもよい。いくつかの他の実施形態では、導波管２７０、２８０、２９０、３００、３１０は、材料のモノリシック部品であってもよく、外部結合光学要素５７０、５８０、５９０、６００、６１０は、材料のその部品の表面上および／またはその内部に形成されてもよい。
【００８９】
図６を継続して参照すると、本明細書に議論されるように、各導波管２７０、２８０、２９０、３００、３１０は、光を出力し、特定の深度平面に対応する画像を形成するように構成される。例えば、眼の最近傍の導波管２７０は、眼２１０にコリメートされた光（そのような導波管２７０の中に投入された）を送達するように構成されてもよい。コリメートされた光は、光学無限遠焦点面を表し得る。次の上方の導波管２８０は、眼２１０に到達し得る前に、第１のレンズ３５０（例えば、負のレンズ）を通して通過する、コリメートされた光を送出するように構成されてもよい。そのような第１のレンズ３５０は、眼／脳が、その次の上方の導波管２８０から生じる光を光学無限遠から眼２１０に向かって内向きにより近い第１の焦点面から生じるように解釈するように、若干の凸面波面曲率を生成するように構成されてもよい。同様に、第３の上方の導波管２９０は、眼２１０に到達する前に、その出力光を第１のレンズ３５０および第２のレンズ３４０の両方を通して通過させる。第１のレンズ３５０および第２のレンズ３４０の組み合わせられた屈折力は、眼／脳が、第３の導波管２９０から生じる光が次の上方の導波管２８０からの光であったよりも光学無限遠から人物に向かって内向きにさらに近い第２の焦点面から生じるように解釈するように、別の漸増量の波面曲率を生成するように構成されてもよい。
【００９０】
他の導波管層３００、３１０およびレンズ３３０、３２０も同様に構成され、スタック内の最高導波管３１０は、人物に最も近い焦点面を表す集約焦点力のために、その出力をそれと眼との間のレンズの全てを通して送出する。スタックされた導波管アセンブリ２６０の他側の世界５１０から生じる光を視認／解釈するとき、レンズ３２０、３３０、３４０、３５０のスタックを補償するために、補償レンズ層６２０が、スタックの上部に配置され、下方のレンズスタック３２０、３３０、３４０、３５０の集約力を補償してもよい。そのような構成は、利用可能な導波管／レンズ対と同じ数の知覚される焦点面を提供する。導波管の外部結合光学要素およびレンズの集束側面は両方とも、静的であってもよい（すなわち、動的または電気活性ではない）。いくつかの代替実施形態では、一方または両方とも、電気活性特徴を使用して動的であってもよい。
【００９１】
いくつかの実施形態では、導波管２７０、２８０、２９０、３００、３１０のうちの２つ以上のものは、同一の関連付けられた深度平面を有してもよい。例えば、複数の導波管２７０、２８０、２９０、３００、３１０が、同一深度平面に設定される画像を出力するように構成されてもよい、または導波管２７０、２８０、２９０、３００、３１０の複数のサブセットが、深度平面毎に１つのセットを伴う、同一の複数の深度平面に設定される画像を出力するように構成されてもよい。これは、それらの深度平面において拡張された視野を提供するようにタイル化された画像を形成する利点を提供し得る。
【００９２】
図６を継続して参照すると、外部結合光学要素５７０、５８０、５９０、６００、６１０は、導波管と関連付けられた特定の深度平面のために、光をその個別の導波管から再指向し、かつ本光を適切な量の発散またはコリメーションを伴って出力するように構成されてもよい。その結果、異なる関連付けられた深度平面を有する導波管は、外部結合光学要素５７０、５８０、５９０、６００、６１０の異なる構成を有してもよく、これは、関連付けられた深度平面に応じて、異なる量の発散を伴う光を出力する。いくつかの実施形態では、光抽出光学要素５７０、５８０、５９０、６００、６１０は、体積または表面特徴であってもよく、これは、具体的角度において光を出力するように構成されてもよい。例えば、光抽出光学要素５７０、５８０、５９０、６００、６１０は、立体ホログラム、表面ホログラム、および／または回折格子であってもよい。いくつかの実施形態では、特徴３２０、３３０、３４０、３５０は、レンズではなくてもよい。むしろ、それらは、単に、スペーサ（例えば、クラッディング層および／または空隙を形成するための構造）であってもよい。
【００９３】
いくつかの実施形態では、外部結合光学要素５７０、５８０、５９０、６００、６１０は、回折パターンを形成する回折特徴または「回折光学要素」（また、本明細書では、「ＤＯＥ」とも称される）である。好ましくは、ＤＯＥは、ビームの光の一部のみがＤＯＥの各交差部で眼２１０に向かって偏向される一方、残りがＴＩＲを介して導波管を通して移動し続けるように、十分に低回折効率を有する。画像情報を搬送する光は、したがって、様々な場所において導波管から出射するいくつかの関連出射ビームに分割され、その結果、導波管内でバウンスする本特定のコリメートされたビームに関して、眼２１０に向かって非常に均一パターンの出射放出となる。
【００９４】
いくつかの実施形態では、１つ以上のＤＯＥは、能動的に回折する「オン」状態と有意に回折しない「オフ」状態との間で切替可能であってもよい。例えば、切替可能なＤＯＥは、ポリマー分散液晶の層を備えてもよく、その中で微小液滴は、ホスト媒体中に回折パターンを備え、微小液滴の屈折率は、ホスト材料の屈折率に実質的に整合するように切り替えられてもよい（その場合、パターンは、入射光を著しく回折させない）、または微小液滴は、ホスト媒体のものに整合しない屈折率に切り替えられてもよい（その場合、パターンは、入射光を能動的に回折させる）。
【００９５】
いくつかの実施形態では、カメラアセンブリ６３０（例えば、可視光および赤外線光カメラを含む、デジタルカメラ）が、眼２１０および／または眼２１０の周囲の組織の画像を捕捉し、例えば、ユーザ入力を検出する、および／またはユーザの生理学的状態を監視するために提供されてもよい。本明細書で使用されるように、カメラは、任意の画像捕捉デバイスであってもよい。いくつかの実施形態では、カメラアセンブリ６３０は、画像捕捉デバイスと、光（例えば、赤外線光）を眼に投影し、次いで、眼によって反射され、画像捕捉デバイスによって検出され得る、光源とを含んでもよい。いくつかの実施形態では、カメラアセンブリ６３０は、フレーム８０（図９Ｄ）に取り付けられてもよく、カメラアセンブリ６３０からの画像情報を処理し得る、処理モジュール１４０および／または１５０と電気通信してもよい。いくつかの実施形態では、１つのカメラアセンブリ６３０が、眼毎に利用され、各眼を別個に監視してもよい。
【００９６】
ここで図７を参照すると、導波管によって出力された出射ビームの実施例が、示される。１つの導波管が図示されるが、導波管アセンブリ２６０（図６）内の他の導波管も同様に機能し得、導波管アセンブリ２６０は、複数の導波管を含むことを理解されたい。光６４０が、導波管２７０の入力表面４６０において導波管２７０の中に投入され、ＴＩＲによって導波管２７０内を伝搬する。光６４０がＤＯＥ５７０上に衝突する点では、光の一部は、導波管から出射ビーム６５０として出射する。出射ビーム６５０は、略平行として図示されるが、本明細書に議論されるように、また、導波管２７０と関連付けられた深度平面に応じて、ある角度（例えば、発散出射ビーム形成）において眼２１０に伝搬するように再指向されてもよい。略平行出射ビームは、眼２１０からの遠距離（例えば、光学無限遠）における深度平面に設定されるように現れる画像を形成するように光を外部結合する、外部結合光学要素を伴う導波管を示し得ることを理解されたい。他の導波管または他の外部結合光学要素のセットは、より発散する、出射ビームパターンを出力してもよく、これは、眼２１０がより近い距離に遠近調節し、網膜に合焦させることを要求し、光学無限遠より眼２１０に近い距離からの光として脳によって解釈されるであろう。
【００９７】
いくつかの実施形態では、フルカラー画像が、原色、例えば、３つ以上の原色のそれぞれに画像をオーバーレイすることによって、各深度平面において形成されてもよい。図８は、スタックされた導波管アセンブリの実施例を図示し、各深度平面は、複数の異なる原色を使用して形成される画像を含む。図示される実施形態は、深度平面２４０ａ−２４０ｆを示すが、より多いまたはより少ない深度もまた、想定される。各深度平面は、第１の色Ｇの第１の画像、第２の色Ｒの第２の画像、および第３の色Ｂの第３の画像を含む、それと関連付けられた３つ以上の原色画像を有してもよい。異なる深度平面は、文字Ｇ、Ｒ、およびＢに続くジオプタ（ｄｐｔ）に関する異なる数字によって図に示される。単なる実施例として、これらの文字のそれぞれに続く数字は、ジオプタ（１／ｍ）、すなわち、視認者からの深度平面の逆距離を示し、図中の各ボックスは、個々の原色画像を表す。いくつかの実施形態では、異なる波長の光の眼の集束における差異を考慮するために、異なる原色に関する深度平面の正確な場所は、変動してもよい。例えば、所与の深度平面に関する異なる原色画像は、ユーザからの異なる距離に対応する深度平面上に設置されてもよい。そのような配列は、視力およびユーザ快適性を増加させ得、および／または色収差を減少させ得る。
【００９８】
いくつかの実施形態では、各原色の光は、単一専用導波管によって出力されてもよく、その結果、各深度平面は、それと関連付けられた複数の導波管を有してもよい。そのような実施形態では、文字Ｇ、Ｒ、またはＢを含む、図中の各ボックスは、個々の導波管を表すものと理解され得、３つの導波管は、深度平面毎に提供されてもよく、３つの原色画像が、深度平面毎に提供される。各深度平面と関連付けられた導波管は、本図面では、説明を容易にするために相互に隣接して示されるが、物理的デバイスでは、導波管は全て、レベル毎に１つの導波管を伴うスタックで配列されてもよいことを理解されたい。いくつかの他の実施形態では、複数の原色が、例えば、単一導波管のみが深度平面毎に提供され得るように、同一導波管によって出力されてもよい。
【００９９】
図８を継続して参照すると、いくつかの実施形態では、Ｇは、緑色であって、Ｒは、赤色であって、Ｂは、青色である。いくつかの他の実施形態では、マゼンタ色およびシアン色を含む、光の他の波長と関連付けられた他の色も、赤色、緑色、または青色のうちの１つ以上のものに加えて使用されてもよい、またはそれらに取って代わってもよい。
【０１００】
本開示全体を通した所与の光の色の言及は、その所与の色として視認者によって知覚される、光の波長の範囲内の１つ以上の波長の光を包含するものと理解されると理解されたい。例えば、赤色光は、約６２０〜７８０ｎｍの範囲内である１つ以上の波長の光を含んでもよく、緑色光は、約４９２〜５７７ｎｍの範囲内である１つ以上の波長の光を含んでもよく、青色光は、約４３５〜４９３ｎｍの範囲内である１つ以上の波長の光を含んでもよい。
【０１０１】
いくつかの実施形態では、光源５３０（図６）は、視認者の視覚的知覚範囲外の１つ以上の波長、例えば、赤外線および／または紫外線波長の光を放出するように構成されてもよい。加えて、ディスプレイ２５０の導波管の内部結合、外部結合、および他の光再指向構造は、例えば、結像および／またはユーザ刺激用途のために、本光をディスプレイからユーザの眼２１０に向かって指向および放出するように構成されてもよい。いくつかの実施形態では、内部結合光学要素および／または他の光再指向構造は、本明細書に説明されるような湿式化学作用によって堆積される金属を含む、反射性層を備える、反射性回折光学要素を備える。いくつかの実施形態では、反射性層は、本明細書に説明されるような湿式化学作用によって形成される、純または実質的に純金属から本質的に成る、またはそれから成る、金属から形成されてもよい。
【０１０２】
ここで図９Ａを参照すると、いくつかの実施形態では、導波管に衝突する光は、その光を導波管の中に内部結合するために再指向される必要があり得る。内部結合光学要素が、光をその対応する導波管の中に再指向および内部結合するために使用されてもよい。図９Ａは、それぞれ、内部結合光学要素を含む、複数またはセット６６０のスタックされた導波管の実施例の断面側面図を図示する。導波管はそれぞれ、１つまたはそれを上回る異なる波長または１つまたはそれを上回る異なる波長範囲の光を出力するように構成されてもよい。スタック６６０は、スタック２６０（図６）に対応してもよく、スタック６６０の図示される導波管は、複数の導波管２７０、２８０、２９０、３００、３１０の一部に対応してもよいが、画像投入デバイス３６０、３７０、３８０、３９０、４００のうちの１つ以上のものからの光が、光が内部結合のために再指向されることを要求する位置から導波管の中に投入されることを理解されたい。
【０１０３】
スタックされた導波管の図示されるセット６６０は、導波管６７０、６８０、および６９０を含む。各導波管は、関連付けられた内部結合光学要素（導波管上の光入力面積とも称され得る）を含み、例えば、内部結合光学要素７００は、導波管６７０の主要表面（例えば、上側主要表面）上に配置され、内部結合光学要素７１０は、導波管６８０の主要表面（例えば、上側主要表面）上に配置され、内部結合光学要素７２０は、導波管６９０の主要表面（例えば、上側主要表面）上に配置される。いくつかの実施形態では、内部結合光学要素７００、７１０、７２０のうちの１つ以上のものは、個別の導波管６７０、６８０、６９０の底部主要表面上に配置されてもよい（特に、１つ以上の内部結合光学要素は、反射性偏向光学要素である）。図示されるように、内部結合光学要素７００、７１０、７２０は、その個別の導波管６７０、６８０、６９０の上側主要表面（または次の下側導波管の上部）上に配置されてもよく、特に、それらの内部結合光学要素は、透過性偏向光学要素である。いくつかの実施形態では、内部結合光学要素７００、７１０、７２０は、個別の導波管６７０、６８０、６９０の本体内に配置されてもよい。いくつかの実施形態では、本明細書に議論されるように、内部結合光学要素７００、７１０、７２０は、他の光の波長を透過しながら、１つ以上の光の波長を選択的に再指向するような波長選択的である。その個別の導波管６７０、６８０、６９０の片側または角に図示されるが、内部結合光学要素７００、７１０、７２０は、いくつかの実施形態では、その個別の導波管６７０、６８０、６９０の他の面積内に配置されてもよいことを理解されたい。いくつかの実施形態では、内部結合光学要素および／または他の光再指向構造は、本明細書に説明されるような湿式化学作用によって形成される金属を含む、反射性層を備える、反射性回折光学要素を備える。いくつかの実施形態では、反射性層は、本明細書に説明されるような湿式化学作用によって形成される純または実質的に純金属から本質的に成る、またはそれから成ってもよい。
【０１０４】
図示されるように、内部結合光学要素７００、７１０、７２０は、相互から側方にオフセットされてもよい。いくつかの実施形態では、各内部結合光学要素は、その光が別の内部結合光学要素を通して通過せずに、光を受光するようにオフセットされてもよい。例えば、各内部結合光学要素７００、７１０、７２０は、図６に示されるように、光を異なる画像投入デバイス３６０、３７０、３８０、３９０、および４００から受光するように構成されてもよく、光を内部結合光学要素７００、７１０、７２０の他のものから実質的に受光しないように、他の内部結合光学要素７００、７１０、７２０から分離されてもよい（例えば、側方に離間される）。
【０１０５】
各導波管はまた、関連付けられた光分散要素を含み、例えば、光分散要素７３０は、導波管６７０の主要表面（例えば、上部主要表面）上に配置され、光分散要素７４０は、導波管６８０の主要表面（例えば、上部主要表面）上に配置され、光分散要素７５０は、導波管６９０の主要表面（例えば、上部主要表面）上に配置される。いくつかの他の実施形態では、光分散要素７３０、７４０、７５０は、それぞれ、関連付けられた導波管６７０、６８０、６９０の底部主要表面上に配置されてもよい。いくつかの他の実施形態では、光分散要素７３０、７４０、７５０は、それぞれ、関連付けられた導波管６７０、６８０、６９０の上部および底部両方の主要表面上に配置されてもよい、または光分散要素７３０、７４０、７５０は、それぞれ、異なる関連付けられた導波管６７０、６８０、６９０内の上部および底部主要表面の異なるもの上に配置されてもよい。
【０１０６】
導波管６７０、６８０、６９０は、例えば、材料のガス、液体および／または固体層によって離間および分離されてもよい。例えば、図示されるように、層７６０ａは、導波管６７０および６８０を分離してもよく、層７６０ｂは、導波管６８０および６９０を分離してもよい。いくつかの実施形態では、層７６０ａおよび７６０ｂは、低屈折率材料（すなわち、導波管６７０、６８０、６９０の直近のものを形成する材料より低い屈折率を有する材料）から形成される。好ましくは、層７６０ａ、７６０ｂを形成する材料の屈折率は、導波管６７０、６８０、６９０を形成する材料の屈折率を０．０５またはそれを上回る、または該屈折率を０．１０またはそれを下回る。有利なこととして、より低い屈折率層７６０ａ、７６０ｂは、導波管６７０、６８０、６９０を通して光の全内部反射（ＴＩＲ）（例えば、各導波管の上部および底部主要表面間のＴＩＲ）を促進する、クラッディング層として機能してもよい。いくつかの実施形態では、層７６０ａ、７６０ｂは、空気から形成される。図示されないが、導波管の図示されるセット６６０の上部および底部は、直近クラッディング層を含んでもよいことを理解されたい。
【０１０７】
好ましくは、製造および他の考慮点を容易にするために、導波管６７０、６８０、６９０を形成する材料は、類似または同一であって、層７６０ａ、７６０ｂを形成する材料は、類似または同一である。いくつかの実施形態では、導波管６７０、６８０、６９０を形成する材料は、１つ以上の導波管間で異なってもよい、および／または層７６０ａ、７６０ｂを形成する材料は、依然として、前述の種々の屈折率関係を保持しながら、異なってもよい。
【０１０８】
図９Ａを継続して参照すると、光線７７０、７８０、７９０が、導波管のセット６６０に入射する。光線７７０、７８０、７９０は、１つ以上の画像投入デバイス３６０、３７０、３８０、３９０、４００（図６）によって導波管６７０、６８０、６９０の中に投入されてもよいことを理解されたい。
【０１０９】
いくつかの実施形態では、光線７７０、７８０、７９０は、異なる色に対応し得る、異なる性質、例えば、異なる波長または異なる波長範囲を有する。内部結合光学要素７００、７１０、７２０はそれぞれ、光が、ＴＩＲによって、導波管６７０、６８０、６９０のうちの個別の１つを通して伝搬するように、入射光を偏向させる。いくつかの実施形態では、内部結合光学要素７００、７１０、７２０はそれぞれ、他の波長を下層導波管および関連付けられた内部結合光学要素に透過させながら、１つ以上の特定の光の波長を選択的に偏向させる。
【０１１０】
例えば、内部結合光学要素７００は、それぞれ、異なる第２および第３の波長または波長範囲を有する、光線７８０および７９０を透過させながら、第１の波長または波長範囲を有する、光線７７０を偏向させるように構成されてもよい。透過された光線７８０は、第２の波長または波長範囲の光を選択的に偏向させるように構成される、内部結合光学要素７１０に衝突し、それによって偏向される。光線７９０は、第３の波長または波長範囲の光を選択的に偏向させるように構成される、内部結合光学要素７２０によって偏向される。
【０１１１】
図９Ａを継続して参照すると、偏向された光線７７０、７８０、７９０は、対応する導波管６７０、６８０、６９０を通して伝搬するように偏向される。すなわち、各導波管の内部結合光学要素７００、７１０、７２０は、光をその対応する導波管６７０、６８０、６９０の中に偏向させ、光を対応する導波管の中に内部結合する。光線７７０、７８０、７９０は、光をＴＩＲによって個別の導波管６７０、６８０、６９０を通して伝搬させる角度で偏向される。光線７７０、７８０、７９０は、導波管の対応する光分散要素７３０、７４０、７５０に衝突するまで、ＴＩＲによって個別の導波管６７０、６８０、６９０を通して伝搬する。
【０１１２】
ここで図９Ｂを参照すると、図９Ａの複数のスタックされた導波管の実施例の斜視図が、図示される。前述のように、内部結合された光線７７０、７８０、７９０は、それぞれ、内部結合光学要素７００、７１０、７２０によって偏向され、次いで、それぞれ、導波管６７０、６８０、６９０内でＴＩＲによって伝搬する。光線７７０、７８０、７９０は、次いで、それぞれ、光分散要素７３０、７４０、７５０に衝突する。光分散要素７３０、７４０、７５０は、それぞれ、外部結合光学要素８００、８１０、８２０に向かって伝搬するように、光線７７０、７８０、７９０を偏向させる。
【０１１３】
いくつかの実施形態では、光分散要素７３０、７４０、７５０は、直交瞳エクスパンダ（ＯＰＥ）である。いくつかの実施形態では、ＯＰＥは、光を外部結合光学要素８００、８１０、８２０に偏向または分散し、いくつかの実施形態では、また、外部結合光学要素に伝搬するにつれて、本光のビームまたはスポットサイズを増加させ得る。いくつかの実施形態では、光分散要素７３０、７４０、７５０は、省略されてもよく、内部結合光学要素７００、７１０、７２０は、光を直接外部結合光学要素８００、８１０、８２０に偏向させるように構成されてもよい。例えば、図９Ａを参照すると、光分散要素７３０、７４０、７５０は、それぞれ、外部結合光学要素８００、８１０、８２０と置換されてもよい。いくつかの実施形態では、外部結合光学要素８００、８１０、８２０は、光を視認者の眼２１０（図７）に指向させる、射出瞳（ＥＰ）または射出瞳エクスパンダ（ＥＰＥ）である。ＯＰＥは、少なくとも１つの軸においてアイボックスの寸法を増加させるように構成されてもよく、ＥＰＥは、ＯＰＥの軸と交差する、例えば、直交する軸においてアイボックスを増加させてもよいことを理解されたい。例えば、各ＯＰＥは、光の残りの部分が導波管を辿って伝搬し続けることを可能にしながら、ＯＰＥに衝打する光の一部を同一導波管のＥＰＥに再指向するように構成されてもよい。ＯＰＥへの衝突に応じて、再び、残りの光の別の部分は、ＥＰＥに再指向され、その部分の残りの部分は、導波管等を辿ってさらに伝搬し続ける。同様に、ＥＰＥへの衝打に応じて、衝突光の一部は、導波管からユーザに向かって指向され、その光の残りの部分は、ＥＰに再び衝打するまで、導波管を通して伝搬し続け、その時点で、衝突する光の別の部分は、導波管から指向される等となる。その結果、内部結合された光の単一ビームは、その光の一部がＯＰＥまたはＥＰＥによって再指向される度に、「複製」され、それによって、図６に示されるように、クローン化された光のビーム野を形成し得る。いくつかの実施形態では、ＯＰＥおよび／またはＥＰＥは、光のビームのサイズを修正するように構成されてもよい。
【０１１４】
故に、図９Ａおよび９Ｂを参照すると、いくつかの実施形態では、導波管のセット６６０は、原色毎に、導波管６７０、６８０、６９０と、内部結合光学要素７００、７１０、７２０と、光分散要素（例えば、ＯＰＥ）７３０、７４０、７５０と、外部結合光学要素（例えば、ＥＰ）８００、８１０、８２０とを含む。導波管６７０、６８０、６９０は、各１つの間に空隙／クラッディング層を伴ってスタックされてもよい。内部結合光学要素７００、７１０、７２０は、（異なる波長の光を受光する異なる内部結合光学要素を用いて）入射光をその導波管の中に再指向または偏向させる。光は、次いで、個別の導波管６７０、６８０、６９０内にＴＩＲをもたらすであろう角度で伝搬する。示される実施例では、光線７７０（例えば、青色光）は、前述の様式において、第１の内部結合光学要素７００によって偏光され、次いで、導波管を辿ってバウンスし続け、光分散要素（例えば、ＯＰＥ）７３０、次いで、外部結合光学要素（例えば、ＥＰ）８００と相互作用する。光線７８０および７９０（例えば、それぞれ、緑色および赤色光）は、導波管６７０を通して通過し、光線７８０は、内部結合光学要素７１０上に衝突し、それによって偏向される。光線７８０は、次いで、ＴＩＲを介して、導波管６８０を辿ってバウンスし、その光分散要素（例えば、ＯＰＥ）７４０、次いで、外部結合光学要素（例えば、ＥＰ）８１０に進むであろう。最後に、光線７９０（例えば、赤色光）は、導波管６９０を通して通過し、導波管６９０の光内部結合光学要素７２０に衝突する。光内部結合光学要素７２０は、光線が、ＴＩＲによって、光分散要素（例えば、ＯＰＥ）７５０、次いで、ＴＩＲによって、外部結合光学要素（例えば、ＥＰ）８２０に伝搬するように、光線７９０を偏向させる。外部結合光学要素８２０は、次いで、最後に、光線７９０を視認者に外部結合し、視認者はまた、他の導波管６７０、６８０からの外部結合した光も受光する。
【０１１５】
図９Ｃは、図９Ａおよび９Ｂの複数のスタックされた導波管の実施例の上下平面図を図示する。図示されるように、導波管６７０、６８０、６９０は、各導波管の関連付けられた光分散要素７３０、７４０、７５０および関連付けられた外部結合光学要素８００、８１０、８２０とともに、垂直に整合されてもよい。しかしながら、本明細書に議論されるように、内部結合光学要素７００、７１０、７２０は、垂直に整合されない。むしろ、内部結合光学要素は、好ましくは、非重複する（例えば、上下図に見られるように、側方に離間される）。本明細書でさらに議論されるように、本非重複空間配列は、１対１ベースで異なるリソースから異なる導波管の中への光の投入を促進し、それによって、具体的光源が具体的導波管に一意に結合されることを可能にする。いくつかの実施形態では、非重複の空間的に分離される内部結合光学要素を含む、配列は、偏移瞳システムと称され得、これらの配列内の内部結合光学要素は、サブ瞳に対応し得る。
【０１１６】
図９Ｄは、本明細書に開示される種々の導波管および関連システムが統合され得る、ウェアラブルディスプレイシステム６０の実施例を図示する。いくつかの実施形態では、ディスプレイシステム６０は、図６のシステム２５０であって、図６は、そのシステム６０のいくつかの部分をより詳細に図式的に示す。例えば、図６の導波管アセンブリ２６０は、ディスプレイ７０の一部であってもよい。
【０１１７】
図９Ｄを継続して参照すると、ディスプレイシステム６０は、ディスプレイ７０と、そのディスプレイ７０の機能をサポートするための種々の機械的および電子的モジュールおよびシステムとを含む。ディスプレイ７０は、フレーム８０に結合されてもよく、これは、ディスプレイシステムユーザまたは視認者９０によって装着可能であって、ディスプレイ７０をユーザ９０の眼の正面に位置付けるように構成される。ディスプレイ７０は、いくつかの実施形態では、接眼レンズと見なされ得る。いくつかの実施形態では、スピーカ１００が、フレーム８０に結合され、ユーザ９０の外耳道に隣接して位置付けられるように構成される（いくつかの実施形態では、示されない別のスピーカも、随意に、ユーザの他方の外耳道に隣接して位置付けられ、ステレオ／成形可能音制御を提供してもよい）。ディスプレイシステム６０はまた、１つ以上のマイクロホン１１０または他のデバイスを含み、音を検出してもよい。いくつかの実施形態では、マイクロホンは、ユーザが入力またはコマンドをシステム６０に提供することを可能にするように構成され（例えば、音声メニューコマンドの選択、自然言語質問等）、および／または他の人物（例えば、類似ディスプレイシステムの他のユーザ）とのオーディオ通信を可能にしてもよい。マイクロホンはさらに、周辺センサとして構成され、オーディオデータ（例えば、ユーザおよび／または環境からの音）を収集してもよい。いくつかの実施形態では、ディスプレイシステムはまた、周辺センサ１２０ａを含んでもよく、これは、フレーム８０と別個であって、ユーザ９０の身体（例えば、ユーザ９０の頭部、胴体、四肢等）上に取り付けられてもよい。周辺センサ１２０ａは、いくつかの実施形態では、ユーザ９０の生理学的状態を特徴付けるデータを入手するように構成されてもよい。例えば、センサ１２０ａは、電極であってもよい。
【０１１８】
図９Ｄを継続して参照すると、ディスプレイ７０は、有線導線または無線コネクティビティ等の通信リンク１３０によって、ローカルデータ処理モジュール１４０に動作可能に結合され、これは、フレーム８０に固定して取り付けられる、ユーザによって装着されるヘルメットまたは帽子に固定して取り付けられる、ヘッドホン内に埋設される、または別様にユーザ９０に除去可能に取り付けられる（例えば、リュック式構成において、ベルト結合式構成において）等、種々の構成で搭載されてもよい。同様に、センサ１２０ａは、通信リンク１２０ｂ、例えば、有線導線または無線コネクティビティによって、ローカルデータ処理モジュール１４０に動作可能に結合されてもよい。ローカル処理およびデータモジュール１４０は、ハードウェアプロセッサおよび不揮発性メモリ（例えば、フラッシュメモリまたはハードディスクドライブ）等のデジタルメモリを備えてもよく、両方とも、データの処理、キャッシュ、および記憶を補助するために利用されてもよい。随意に、ローカルプロセッサおよびデータモジュール１４０は、１つ以上の処理ユニット（ＣＰＵ）、グラフィック処理ユニット（ＧＰＵ）、専用処理ハードウェア等を含んでもよい。データは、ａ）センサ（画像捕捉デバイス（カメラ等）、マイクロホン、慣性測定ユニット、加速度計、コンパス、ＧＰＳユニット、無線デバイス、ジャイロスコープ、および／または本明細書に開示される他のセンサ（例えば、フレーム８０に動作可能に結合される、または別様にユーザ９０に取り付けられ得る）から捕捉されたデータ、および／またはｂ）可能性として処理または読出後にディスプレイ７０への通過のための遠隔処理モジュール１５０および／または遠隔データリポジトリ１６０（仮想コンテンツに関連するデータを含む）を使用して取得および／または処理されたデータを含む。ローカル処理およびデータモジュール１４０は、これらの遠隔モジュール１５０、１６０が相互に動作可能に結合され、ローカル処理およびデータモジュール１４０に対するリソースとして利用可能であるように、有線または無線通信リンクを介して等、通信リンク１７０、１８０によって、遠隔処理モジュール１５０および遠隔データリポジトリ１６０に動作可能に結合されてもよい。いくつかの実施形態では、ローカル処理およびデータモジュール１４０は、画像捕捉デバイス、マイクロホン、慣性測定ユニット、加速度計、コンパス、ＧＰＳユニット、無線デバイス、および／またはジャイロスコープのうちの１つ以上のものを含んでもよい。いくつかの他の実施形態では、これらのセンサのうちの１つまたはそれを上回るものは、フレーム８０に取り付けられてもよい、または有線または無線通信経路によってローカル処理およびデータモジュール１４０と通信する、独立構造であってもよい。
【０１１９】
図９Ｄを継続して参照すると、いくつかの実施形態では、遠隔処理モジュール１５０は、例えば、１つ以上の中央処理ユニット（ＣＰＵ）、グラフィック処理ユニット（ＧＰＵ）、専用処理ハードウェア等を含む、データおよび／または画像情報を分析および処理するように構成される、１つ以上のプロセッサを備えてもよい。いくつかの実施形態では、遠隔データリポジトリ１６０は、インターネットまたは「クラウド」リソース構成における他のネットワーキング構成を通して利用可能であり得る、デジタルデータ記憶設備を備えてもよい。いくつかの実施形態では、遠隔データリポジトリ１６０は、１つ以上の遠隔サーバを含んでもよく、これは、情報、例えば、拡張現実コンテンツをローカル処理およびデータモジュール１４０および／または遠隔処理モジュール１５０に生成するための情報を提供する。いくつかの実施形態では、全てのデータが、記憶され、全ての計算は、ローカル処理およびデータモジュール内で行われ、遠隔モジュールからの完全に自律的使用を可能にする。随意に、ＣＰＵ、ＧＰＵ等を含む、外部システム（例えば、１つ以上のプロセッサ、１つ以上のコンピュータのシステム）が、処理（例えば、画像情報を生成する、データを処理する）の少なくとも一部を実施し、例えば、無線または有線接続を介して、情報をモジュール１４０、１５０、１６０に提供し、情報をそこから受信してもよい。
【０１２０】
例示的光プロジェクタシステムおよび関連構造
図１０は、光を視認者の眼２１０に指向するための光プロジェクタシステム２０００および接眼レンズ２０１０の断面図の実施例を図示する。本明細書に議論されるように、複数の光エミッタ２０２０（例えば、複数のＬＥＤ）が、空間光変調器（ＳＬＭ）２０３０を照明するために使用されてもよい。光エミッタ２０２０は、光モジュール２０４０の一部であってもよい。いくつかの実施形態では、ビームスプリッタ（例えば、偏光ビームスプリッタ（ＰＢＳ））２０５０は、光エミッタ２０２０からの光を、光を反射および変調させる、空間光変調器２０３０に反射させるために使用されてもよい。ＳＬＭ２０３０から変調された光は、次いで、ビームスプリッタ２０５０を通して、１つ以上の導波管を含み得る、接眼レンズ２０１０に伝搬し得る。いくつかの実施形態では、接眼レンズ２０１０は、導波管スタック２６０（図６）または６６０（図９Ａ−９Ｃ）に対応してもよい。接眼レンズ２０１０の導波管は、光を中継または誘導し、視認者の眼２１０に出力する。加えて、光プロジェクタシステム２０００は、光プロジェクタシステム５２０（図６）に対応してもよいことを理解されたい。図示されるように、投影光学系を通して伝搬する光は、接眼レンズ２０１０の面積上に収束し得る。また、図示されるように、本収束に起因して、光はまた、異なる角度で収束面積に入射する。
【０１２１】
光モジュール２０４０は、異なる色に対応する、異なる波長の範囲の光を放出する、複数の光エミッタ２０２０を含んでもよい。複数の光エミッタ２０２０（例えば、光エミッタ２０２０ａ、２０２０ｂ、２０２０ｃ）の異なるセットは、異なる波長の範囲の光を放出してもよく、光エミッタのセットは、１つ以上の光エミッタ２０２０を含む。いくつかの実施形態では、光エミッタ２０２０のセットの総数は、ディスプレイシステムによって使用される原色の総数に対応し、フルカラー画像を形成してもよい。
【０１２２】
視認者によるフルカラー画像の知覚は、いくつかの実施形態では、時分割多重化を用いて達成されてもよい。例えば、異なる光エミッタ２０２０が、異なる時間にアクティブ化され、異なる原色画像を生成してもよい。そのような実施形態では、単一フルカラー画像を形成する、原色画像は、ヒト視覚系が原色画像を異なる時間で表示されているように知覚しないほど十分に迅速に表示されてもよい。例えば、原色画像が順次表示される、レートは、ヒト視覚系の知覚持続性より高くあってもよい。いくつかの実施形態では、異なる原色画像は、６０Ｈｚより高いレートで順次表示される。時分割多重化は、有利なこととして、表示される画像を形成するために利用されるプロセッサ（例えば、グラフィックプロセッサ）上の算出負荷を低減させ得ることを理解されたい。十分な算出パワーが利用可能である、いくつかの実施形態では、フルカラー画像を形成する、全ての原色画像は、同時に表示されてもよい。
【０１２３】
図１０を継続して参照すると、異なる色光エミッタ２０２０（例えば、赤色、緑色、および青色ＬＥＤ）が、異なる場所に位置し、ＳＬＭ２０３０を照明し、次いで、ビームスプリッタ２０５０を通して戻り接眼レンズ２０１０上に結像されるために使用されてもよい。いくつかの実施形態では、ＳＬＭ２０３０は、微小電気機械的技術（ＭＥＭＳ）または液晶技術または他の切替技術に基づいてもよい。光プロジェクタシステム２０００の光学系は、個々の光源を接眼レンズ２０１０の中に近似的に結像するため、いくつかの実施形態では、光エミッタの画像は、接眼レンズ２０１０上で空間的に別個である。
【０１２４】
本明細書に開示されるように、接眼レンズ２０１０は、複数の色の色毎に、複数の導波管を含んでもよい。個々の導波管は、いくつかの実施形態では、回折光学系（例えば、回折格子）の使用によって、対応する光エミッタからの所望の光を内部結合し、それを眼に中継してもよい。加えて、回折光学系は、光を導波管を通して指向してもよく、また、光を導波管から外に結合してもよい。導波管は、本明細書に議論されるように、眼への中継の際、光を視認者から所与の深度または距離から生じるように見えさせる屈折力を有してもよい（例えば、図６−９Ｃおよび関連議論参照）。
【０１２５】
例示的内部結合光学要素
上記に説明されるように、内部結合光学要素によって内部結合された後、光は、再バウンスを被り得、これは、望ましくないことに、例えば、内部結合光学要素における光の望ましくない外部結合または吸収に起因して、光損失を生じさせ得る。内部結合された光の再バウンスに起因した光損失は、内部結合光学要素の正味効率を事実上減少させ得る。
【０１２６】
図１１Ａおよび１１Ｂは、内部結合光学要素１１００の外側部分（内部結合された光の伝搬方向から離れるように配置される）における、異なる入射角で導波管１１１０の中に内部結合されている光の実施例を図示する。上記に述べられたように、異なる入射角は、光投影システムから導波管１１１０上への光の収束に起因し得る。図１１Ａは、略内向き角度（例えば、「こめかみ」角度とも称される、導波管内の伝搬方向１１１２に向かった角度）で内部結合光学要素１１００上に入射する、入射ビーム１１２０１の経路を描写する。図１１Ｂは、略外向き角度（例えば、「鼻」角度とも称される、導波管内の伝搬方向１１１２から離れるような角度）で導波管に入射する、入射ビーム１１２０２の経路を描写する。動作時、投影光学系から導波管１１１０に入射する、光のビームは、内向き角度を付けられた成分と、外向き角度を付けられた成分とを含む、変換または発散ビームとなり得る。すなわち、ビームは、焦点に向かって収束し、次いで、発散し得る。例えば、ビームは、図１３Ａ−１３Ｃを参照してより詳細に説明されるであろうように、導波管１１１０が投影光学系の焦点距離を越えて配置されるとき、発散し得る。
【０１２７】
図１１Ａおよび１１Ｂはそれぞれ、第１の主要表面と、第１の主要表面に対向する、第２の主要表面と、第２の主要表面上に配置される、内部結合光学要素１１００とを有する、導波管１１１０を含み、内部結合光学要素１１００は、反射性光学要素である。各ビーム１１２０１、１１２０２は、第１の主要表面を通して、導波管１１１０に入射し、内部結合光学要素１１００によって、内部結合された光が、全内部反射（ＴＩＲ）を支援する角度で導波管１１００内を伝搬し、概して、ＴＩＲによって、伝搬方向１１１２に沿って進行するように再指向される。内部結合された光は、本明細書では、伝搬方向に「沿って」伝搬するものと説明され、その一般的集約伝搬方向は、伝搬方向と平行である。本伝搬方向は、導波管１１１０の主要表面からの光の複数のバウンスを伴い得ることを理解されたい。すなわち、伝搬方向は、その光の複数のバウンスを横断した光の正味伝搬方向である。
【０１２８】
再バウンスは、光が、導波管１１１０の第２の主要表面において内部結合され、第１の主要表面から内部反射され、内部結合光学要素１１００上に入射する、またはそこで２回目のバウンスを被るときに生じ得る。図１１Ａに示されるように、内向き角度において内部結合光学要素１１００上に入射するビーム１１２０１は、内向き角度が、比較的に大バウンス間隔１１２７１、すなわち、第２の主要な面における任意の２つの連続反射間の距離をもたらし得るため、典型的には、殆どまたは全く再バウンスを被らない。対照的に、図１１Ｂに示されるように、外向き角度において内部結合光学要素１１００上に入射するビーム１１２０２は、より比較的に小さいバウンス間隔１１２７２を有し、したがって、再バウンスを被る可能性がより高くあり得る。
【０１２９】
理論によって限定されるわけではないが、回折光学要素は、対称的に挙動し得ることを理解されたい。すなわち、それらは、入射光が導波管を通してＴＩＲ角度で伝搬するように、入射光を再指向し得る。しかしながら、（再バウンスに応じて等）ＴＩＲ角度で回折光学要素上に入射する光はまた、外部結合され得る。加えて、または代替として、金属等の材料の層からの光の反射はまた、反射が材料からの光の吸収および放出を伴い得るため、入射光の部分的吸収を伴い得ることを理解されたい。その結果、光の外部結合および／または吸収は、望ましくないことに、内部結合された光の損失を生じさせ得、再バウンスされた光は、内部結合光学要素と１回のみ相互作用する光と比較して、有意な損失を被り得る。
【０１３０】
図１２Ａおよび１２Ｂはさらに、本光損失を図示する。図１２Ｂは、導波管１１１０に沿った場所１１１５における、図１２Ａの導波管１１１０内で内部結合されたビームのエネルギープロファイルの実施例を図示する。内向きまたはこめかみ角度で入射する、ビーム１１２０１は、実質的量の再バウンスを被る可能性が低いため、比較的に高効率の内部結合および略均一ビームプロファイルを事実上もたらす。対照的に、外向きまたは鼻角度で入射するビーム１１２０２は、実質的量の再バウンスを被る可能性が高く、初期内部結合後、導波管内に光の損失をもたらす。加えて、図１２Ｂに示されるように、外向き角度ビーム１１２０２の内側または伝搬側部分（例えば、伝搬方向１１１２により近いビーム１１２０２の部分）は、再バウンスを殆ど被り得ない一方、伝搬方向１１１２から離れたビーム１１２０２の外側部分は、より多くの再バウンスを被り、光損失をさらにもたらし、ビームプロファイルを横断して非一貫した正味内部結合効率を生じさせ得る。内部結合された光が、画像または画像の一部を形成するために使用される場合、再バウンスに起因した光損失は、したがって、その光を使用して形成される画像のいくつかの部分における明度を不規則的に低減させ得る。さらに、ディスプレイシステムが、赤色、緑色、および青色光のための個々の導波管および内部結合格子を含む場合、導波管のいずれか内のそのような低減された効率および／または非均一性は、赤色、緑色、および／または青色光の組み合わせを要求する、白色光または他の色を確実に生産する能力の低減を含む、低減された色正確度をもたらし得る。
【０１３１】
再バウンスの発生はまた、少なくとも部分的に、導波管と入射光源との間の距離に依存し得る。図１３Ａ−１３Ｃは、対応する投影光学系の焦点距離を越えて配置される導波管内の再バウンスの分布率を図示する、導波管スタック１１０５の実施例を描写する。図１３Ａに示されるように、導波管スタック１１０５は、投影光学系２０００からある距離に配置される、導波管１１１０ａ、１１１０ｂ、および１１１０ｃを含む。各導波管１１１０ａ、１１１０ｂ、１１１０ｃは、それぞれ、投影光学系２０００からより遠い導波管１１１０ａ、１１１０ｂ、１１１０ｃの主要表面に沿って配置される、内部結合光学要素１００ａ、１１００ｂ、１１００ｃを含む。内部結合光学要素１１００ａ、１１００ｂ、１１００ｃは、投影光学系２０００からの光を内部結合し、これは、装着者の視野内で外部結合された光１１３０として外部結合される。
【０１３２】
投影光学系２０００は、収束ビームを出力してもよい。図１３Ａでは、収束ビーム内に存在する角度の範囲は、内向き角度を付けられたビーム１１２０１、外向き角度を付けられたビーム１１２０２、および中心ビーム１１２０３によって表される。導波管１１１０ｂは、ビーム１１２０１、１１２０２、１１２０３が焦点で収束する投影光学系２０００からの距離に対応する、投影光学系２０００の焦点距離に配置される。焦点距離を越えると、投影光学系２０００からの光は、発散ビームとなる。図１３Ａに示されるように、種々の実施形態では、導波管スタック１１０５内の１つ以上の導波管（例えば、導波管１１１０ｃ）は、焦点距離を越えて配置されてもよい一方、導波管スタック１１０５内の他の導波管は、焦点距離（例えば、導波管１１１０ｂ）または投影光学系２０００（例えば、導波管１１１０ａ）のより近くに配置されてもよい。
【０１３３】
図１３Ｂおよび１３Ｃは、図１３Ａのシステムの部分的拡大図であって、導波管１１１０ａ（図１３Ｃ）および導波管１１１０ｃ（図１３Ｂ）内のディスプレイ光学系２０００からの光の伝搬を図示する。図１３Ｃに示されるように、再バウンスは、投影光学系２０００から焦点距離のより近くに配置される導波管では、実質的懸念ではなくなり得る。投影光学系２０００からの光は、依然として、焦点に到達する前に収束ビームであるため、外向き角度を付けられたビーム１１２０２成分は、内部結合光学要素１１００ａの内側部分（例えば、内部結合光学要素１１００ａの伝搬方向側部分）上に入射する一方、内向き角度を付けられたビーム成分１１２０１は、内部結合光学要素１１００ａの外側部分（例えば、伝搬方向１１１２に対向して配置される内部結合光学要素１１００ａの部分）上に入射する。したがって、内部結合された外向き角度を付けられたビーム１１２０２の比較的に短バウンス間隔は、導波管１１００ａの第２の主要表面上へのその２回目の入射前に、依然として、内部結合された光が伝搬方向１１１２に沿って内部結合光学要素１１００ａの側面を越えて伝搬するために十分な長さである。加えて、内部結合された内向き角度を付けられたビーム１１２０１のバウンス間隔は、内向き角度を付けられたビーム１１２０１の任意の再バウンスを回避するために十分な長さである。
【０１３４】
対照的に、図１３Ｂに示されるように、再バウンスは、投影光学系２０００の焦点距離を越えて配置される導波管１１１０ｃ内により有意に分布し得る。投影光学系２０００からの光が、焦点を通過した後、発散ビームであるため、外向き角度を付けられたビーム成分１１２０２は、内部結合光学要素１１００ｃの外側部分上に入射する一方、内向き角度を付けられたビーム成分１１２０１は、内部結合光学要素１１００ｃの内側部分上に入射する。したがって、内部結合された内向き角度を付けられたビーム成分１１２０１は、依然として、殆どまたは全く再バウンスを被らないが、内部結合された外向き角度を付けられたビーム成分１１２０２は、内部結合光学要素１１００ｃの長さに沿って、１回以上の付加的バウンス１１３５を被る。エネルギーは、内部結合光学要素１１００ｃの長さに沿って、各後続バウンス時に喪失され得るため、内部結合された外向き角度を付けられたビーム成分１１２０２は、内部結合された内向き角度を付けられたビーム成分１１２０１に対して有意な損失を被り、図１２Ｂを参照して上記に説明されるより低い効率および／または非一貫したビームプロファイルをもたらし得る。ビーム成分１１２０１の光は、説明および例証を容易にするために、再バウンスを受けないものとして図示されるが、ビーム成分１１２０１は、いくつかの実施形態では、再バウンスを受け得ることを理解されたい。しかしながら、内部結合光学要素上のビーム成分１１２０１のバウンスの回数は、１１２０２に関するもの未満であろう。光損失は、バウンスの回数に比例するため、ビーム成分１１２０１は、ビーム成分１１２０２より少ない光損失を被るであろう
【０１３５】
図１４Ａおよび１４Ｂは、例示的導波管内の再バウンスに起因した光の損失を軽減させるための内部結合光学要素の切頂の実施例を図示する。図１４Ａおよび１４Ｂは、投影光学系２０００の焦点距離を越えて配置される、単一導波管１１１０ｃを図示する。焦点の場所は、内部結合光学要素１１００ｂによって示される一方、導波管１１１０ａおよび１１１０ｂは、便宜上、図１４Ａおよび１４Ｂから省略される。図１４Ａの構成は、図１３Ａにおける導波管１１１０ｃおよび内部結合光学要素１１００ｃの構成と実質的に同一である。図１４Ｂは、切頂された内部結合光学要素１１００ｃを伴う、導波管１１１０ｃを図示する。
【０１３６】
具体的には、図１４Ｂの切頂された内部結合光学要素１１００ｃは少なくとも、投影光学系２０００からの光の内側部分１１２２１が、導波管１１１０ｃ上に入射するが、内部結合光学要素１１００ｃ上に入射しないように、サイズ決めされ、成形され、位置する。いくつかの実施形態では、投影光学系２０００からの光のビーム（例えば、成分ビーム１１２０１、１１２０２、および１１２０３の組み合わせによって表されるように）は、光ビーム面積を導波管１１１０ｃの第２の主要表面上に画定し得、内部結合光学要素１１００ｃの回折領域は、光ビーム面積の全て未満を占有し得る。概して、図１４Ｂに描写される切頂された内部結合光学要素１１００ｃは、投影光学系２０００からの光の中心ビーム成分１１２０３の中心を通して延びるビーム軸を中心として非対称である。例えば、切頂された内部結合光学要素１１００ｃは、半径方向に非対称であってもよく、および／またはビーム軸における伝搬方向１１１２と垂直な対称軸を中心として反射非対称であってもよい。いくつかの実施形態では、内部結合光学要素１１００ｃは、内向き角度ビーム成分１１２０１の内側部分１１２２１が内部結合されずに導波管１１１０ｃの第２の主要表面を通して通過するような場所で終端してもよい。内部結合光学要素１１００ｃが金属化された表面を伴う内部結合格子を備える実施形態等、いくつかの他の実施形態では、内部結合光学要素１１００ｃの内側部分は、内側部分における内部結合された光の再バウンスが、内側部分が金属化された場合ほど容易に吸収または外部結合されないであろうように、金属化されなくてもよい。したがって、１１００ｃの切頂された内部結合光学要素を用いることで、内向き角度を付けられたビーム成分１１２０１の少なくとも一部は、内部結合され得ない、または投影光学系２０００からの光の残りに対してより低い効率で内部結合され得る。しかしながら、内部結合光学要素１１００ｃの切頂はまた、それに沿って再バウンスが内部結合された外向き角度を付けられたビーム成分１１２０２に関して生じ得る、長さを低減させる。故に、内部結合された光のある角度の若干の損失を被る（すなわち、いくつかの角度からの光の一部は、図１４Ｂに示されるように、内部結合されない）にもかかわらず、切頂された内部結合光学要素１１００ｃは、内部結合された光が、再バウンス関連外部結合または吸収を被らない、または殆ど被らないため、内部結合効率の正味増加を提供し得る。その結果、内部結合された光の量および均一性は、再バウンスの低減および関連付けられる光損失に起因して改良され得る。
【０１３７】
図１５は、導波管スタック内の内部結合光学要素の例示的配列の上下図を図示する。図１５の構成は、導波管の主要表面と垂直な図１３Ａの中心ビーム１１２０３に沿った方向に視認され、各内部結合光学要素Ｂ１、Ｂ２、Ｇ１、Ｇ２、Ｒ１、およびＲ２は、入射光を内部結合し、伝搬方向１１１２に沿ってその個別の導波管（図示せず）内を伝搬するように構成される。したがって、各内部結合光学要素Ｂ１、Ｂ２、Ｇ１、Ｇ２、Ｒ１、およびＲ２は、明確に異なる関連付けられた導波管を有する。内部結合光学要素Ｂ１、Ｂ２、Ｇ１、およびＧ２は、投影光学系の焦点距離またはより近くに位置する、導波管上に配置されてもよい一方、内部結合光学要素Ｒ１およびＲ２は、投影光学系の焦点距離を越えて位置する、導波管上に配置される。故に、内部結合光学要素Ｒ１およびＲ２は、上記に説明されるように、再バウンスを軽減させるように切頂される。いくつかの実施形態では、内部結合光学要素Ｒ１およびＲ２の切頂された領域１１４０は、その上に入射する光が内部結合されずに対応する導波管を通して通過することを可能にする、開放空間を備えてもよい。他の実施形態では、光学要素Ｒ１およびＲ２は、高効率内部結合領域１１４５（例えば、金属化または金属層等の反射性層でコーティングされる部分）を備えてもよい一方、切頂された領域１１４０は、切頂された領域１１４０内で生じる再バウンスに起因した損失を低減させるように、金属化されない。
【０１３８】
図１５を継続して参照すると、本明細書に記載されるように、内部結合光学要素Ｂ１、Ｂ２、Ｇ１、Ｇ２、Ｒ１、およびＲ２はそれぞれ、異なる関連付けられる導波管上に配置される。いくつかの実施形態では、投影光学系からの光は、これらの光学要素に、上方から、例えば、ページに対して法線に衝打し得る。好ましくは、光学要素は、それらが投影光学系から各個別の光学要素への光の伝搬を遮断しないように位置付けられる。例えば、光学要素は、投影光学系の焦点の前方の導波管のための光学要素が、上下図に（投影光学系の視点から）見られるように、側方に離間されるように配列される。そのような配列は、光の収束ビームが遮断されることを防止する。焦点の後方の導波管の光学要素は、光の発散ビームを受光するであろう。その結果、光の発散ビームが、前方光学要素を通過後、拡張し、したがって、光学要素の前方のものとの若干の重複によって遮断され得ないため、これらの導波管の前方にある光学要素と一部のわずかな重複が存在し得る。
【０１３９】
加えて、導波管から外への光漏出および／または再バウンスに起因した光の外部結合は、漏出または外部結合された光が他の内部結合光学要素上に衝突する結果をもたらし得ることを理解されたい。例えば、光学要素Ｇ１から外部結合された再バウンスされた光は、伝搬方向１１１２における光学要素Ｇ１の「下流」にある、光学要素上に衝突し得ることが可能性として考えられる。例えば、光学要素Ｇ１から漏出または外部結合された光は、Ｒ１およびＢ１上に衝突し得る。Ｒ１またはＢ１がＧ１の外部結合された光を内部結合した場合、クロストークおよび画像劣化が生じ得ることを理解されたい。有利なこととして、光学格子は、Ｒ１およびＢ１がＧ１から外部結合された入射光を内部結合しないように、それらが内部結合する光の波長に関して選択的であるように構成されてもよい。しかしながら、Ｇ２は、Ｇ１の下流にあった場合、そのような光を内部結合し得る。その結果、好ましくは、内部結合光学要素は、特定の波長の光を内部結合するための光学要素が、類似波長の光を内部結合するように構成される、光学要素の下流にないように配列される。
【０１４０】
いくつかの実施形態では、切頂は、例えば、内部結合光学要素の全幅の最大５％、１０％、１５％、２０％、２５％、３０％、３５％、またはそれを上回ってもよい。いくつかの実施形態では、内部結合光学要素の公称（非切頂）寸法は、規則的またはほぼ規則的であってもよい（例えば、導波管内の伝搬方向と平行な内部結合光学要素の幅は、伝搬方向と垂直な内部結合光学要素の長さの８５％、９０％、９５％、１００％、１０５％等の範囲内であってもよい）。故に、本明細書に説明されるような切頂された内部結合光学要素は、内部結合光学要素の長さの５５％、６０％、６５％、７０％、７５％、８０％等、より小さい幅を有し得、幅は、伝搬方向と平行に延在し、長さは、伝搬方向と垂直である。１つの非限定的例示的実施形態では、１．７１ｍｍの長さおよび１．５６ｍｍの公称（非切頂）幅を有する、内部結合光学要素は、０．１ｍｍ、０．２ｍｍ、０．３ｍｍ、０．４ｍｍ、０．５ｍｍ、またはそれを上回る範囲内の距離だけ、その幅を切頂させてもよい。別の非限定的例示的実施形態では、１．８３ｍｍの長さおよび１．６３ｍｍの公称（非切頂）幅を有する、内部結合光学要素は、０．１ｍｍ、０．２ｍｍ、０．３ｍｍ、０．４ｍｍ、０．５ｍｍ、またはそれを上回る範囲内の距離だけ、その幅を切頂させてもよい。上記に説明される実施例のそれぞれでは、切頂部分は、全体的に除去されてもよい、または回折領域ではない、または非切頂部分に対してより低効率回折領域である、内部結合光学要素の一部を構成してもよい。例えば、内部結合光学要素は、完全公称寸法の反射回折格子を備えてもよく、金属コーティングは、要素のより小さい切頂された寸法のみを被覆する一方、切頂された部分は、金属化されないままである。すなわち、回折格子の面積全体未満が、いくつかの実施形態では、金属化されてもよい。
【０１４１】
図１６および１７は、図１５に類似する構成における内部結合光学要素の切頂の実験結果を描写し、内部結合光学要素の切頂に起因して向上された効果的内部結合効率を図示する。上記に説明されるように、投影光学系の焦点距離を越えた内部結合光学要素の内側部分の切頂は、再バウンスに起因した低減された光損失に起因した効率の増加が、投影光学系からの光の最内部分を内部結合しない（または最内部分をより低い効率で内部結合する）ことに起因する効率の損失を上回り得るため、内部結合効率の正味改良をもたらし得る。したがって、切頂の量は、再バウンスに起因した光損失の軽減と切頂に起因した初期内部結合の損失との間の望ましい平衡を提供するように選択されてもよい。
【０１４２】
前述の説明および図１１Ａ−１４Ｂは、概して、反射性回折光学要素を用いた光の内部結合を指すが、再バウンスに起因した光損失の軽減のために説明されるシステムおよび方法は、透過性回折光学要素を伴うシステム内にも等しく実装され得ることを理解されたい。図１８Ａおよび１８Ｂに示されるように、再バウンスは、同様に、光が導波管１１１０ｃの第１の主要表面に配置される透過性回折光学要素１１００ｃ’によって内部結合されるときにも生じ得る。図１８Ｂに示されるように、導波管１１１０ｃの第１の主要表面において透過性回折光学要素１１００ｃ’によって導波管１１１０ｃの中に再指向される、外向き角度を付けられたビーム１１２０２は、第２の主要表面によって反射され、１回以上の後続再バウンス１１３５’において透過性光学要素１１００ｃ’に衝打するように戻り得る。透過性回折光学要素１１１０ｃ’は、反射性層を有しておらず、そのような反射性層による吸収によって生じる吸収損失を被り得ないが、透過性回折光学要素１１１０ｃ’は、外部結合損失を有し得る。故に、再バウンスに起因した光損失は、反射性コーティングを使用した技法を除き、本明細書に開示される技法のいずれかを使用して、透過性回折光学要素１１００ｃ’を切頂することによって、図１８Ａおよび１８Ｂのシステムにおいて軽減され得る。例えば、切頂は、本明細書で議論される、寸法および相対的幅および長さ比を有し、および／または同様に本明細書で議論されるように、投影光学系２０００からの導波管の焦点からの距離に伴って変動する、切頂を有する、高回折効率領域を提供するステップを伴ってもよい。いくつかの実施形態では、図１５は、切頂透過性回折光学要素の上下図を示すものと理解され得、これは、光学要素Ｒ１およびＲ２を含むものと理解され得る。
【０１４３】
反射性層を伴う例示的導波管および光学要素
反射性光学要素は、所望の光反射を達成するために、反射性層を利用してもよい。反射性層は、従来、金属層の蒸着を含む、金属化プロセスを使用して、堆積され得る。これらの従来の金属化プロセスは、時間がかかり得、多数のステップを含み得る。例えば、金属化を導波管上の所望の場所に指向するために、金属化が所望されない導波管の面積を保護するために、導波管を整合させ、マスクで覆う必要があり得る。しかしながら、マスクは、金属化によって汚染され得、頻繁な清掃を要求し得る。加えて、蒸着自体は、真空を要求し得、これは、堆積チャンバが、堆積のために減圧され、次いで、装填解除のために大気圧まで戻されることを要求することによって、金属化プロセスをさらに複雑にし、その持続時間を増加させるであろう。
【０１４４】
蒸気ベースの金属化プロセスの代替として、反射性インク等の金属含有流動可能材料が、反射性層を形成するために提案されている。反射性インクから形成される、いくつかの層は、いくつかの用途に関して、所望のものより低い反射率を有し得、また、異なる波長を横断して非均一反射率を有し得ることが見出されている。例えば、いくつかの金属インク（銀インク等）は、反射率を阻害し得る、金属複合物および結合剤等の不純物を含む、有機または無機不純物を含有し得る。これらの不純物は、特に、青色領域内の波長を伴う光等のより短い波長の光に関して、光学反射率を低減させ得る。加えて、いくつかの反射性インクは、非均一厚さまたはピンホールを有する層を形成することが見出されており、これはさらに、これらの層からの光の反射に悪影響を及ぼし得る。いくつかの金属インクを使用して形成される、反射性回折光学要素は、物理的蒸着（ＰＶＤ）によって形成される反射性層を使用して形成される類似回折要素より不良な回折効率を有することが見出されている。理論によって限定されるわけではないが、本不良回折効率は、上記の要因のうちの１つ以上のものによって生じる、不良反射性性質に起因することが考えられる。
【０１４５】
有利なこととして、いくつかの実施形態によると、反射性層およびそのような反射性層（例えば、反射性回折光学要素）を組み込む構造は、より優れた反射性性質を提供される。いくつかの実施形態は、反射性層を有する、光学デバイスおよびディスプレイデバイス、および反射性層を備える光学導波管構造を作製する方法および光学デバイスを作製する方法を含む。いくつかの実施形態では、反射性層は、湿式化学作用を使用して、基板表面上に形成されてもよい。湿式化学作用は、反射性材料の層を液体混合物等の流動可能材料中の前駆体種から基板表面上に堆積させるための液相反応を含んでもよい。いくつかの実施形態では、堆積は、固体反射性コーティングを基板表面上に残し得、液体混合物は、固体反射性コーティングを覆う。いくつかの実施形態では、残留液体混合物は、例えば、濯洗によって除去されてもよい。
【０１４６】
いくつかの実施形態では、湿式化学作用は、液体混合物からの金属の析出を含んでもよい。例えば、金属は、金属複合物の一部であってもよく、析出は、液体混合物中の複合物からの金属の解離から生じてもよい。金属複合物は、金属塩等のイオン複合物であってもよい。イオン複合物は、液体混合物中に存在する、または別様にイオン複合物との接触のために提供され得る、別の試薬との化学反応後、解離し得る。実施例として、化学反応は、金属イオン還元、例えば、銀イオン還元であり得、これは、導波管の表面上への純または実質的に純金属（例えば、銀）の析出をもたらす。いくつかの実施形態では、金属析出は、反射性層を表面の所定の離散領域上に形成し得るが、表面全体ではない。好ましくは、析出は、離散領域を導波管の表面上にコーティングする。表面の離散領域は、突出部を備えてもよく、反射性層は、突出部上に共形堆積し、例えば、回折光学要素を形成し得る。
【０１４７】
いくつかの実施形態では、液体混合物は、金属塩（例えば、銀塩）と、例えば、塩基性ｐＨにおいて塩と反応性の還元剤とを含む。反応では、還元剤は、金属塩を還元し、金属（例えば、銀）を析出させ、基板表面上に沈降させ、基板の表面の反射性層を（例えば、導波管の表面上に）形成させる。したがって、反射性層は、純金属または実質的に純金属（例えば、純銀または実質的に純銀）を含む、それから本質的に成る、またはそれから成る。
【０１４８】
有利なこととして、これらの反射性層は、より優れた光学および物理的特性を呈し得る。反射性層は、本明細書に記載されるように、高純度を有し得る。加えて、反射性層は、反射性層が、反射率を低下させ得る、ピンホール等の特徴がないまたは実質的にないように、ナノスケール分解能において均一であり得る。また、ＰＶＤ等の指向性堆積と異なり、反射性層は、突出部の表面を共形コーティングし、反射率を全てのこれらの表面上に提供し得る。加えて、反射性層は、光を遮断し、望ましくない光漏出を防止するような厚さに形成されてもよい。理論によって限定されるわけではないが、これらの有利な特性は、単独で、または組み合わせて、反射性層に、ＰＶＤまたは反射性インクの使用等の他の方法によって堆積される層を上回る反射率を提供し得ることが想定される。例えば、本明細書に説明されるように、いくつかのインクは、イオン還元によって形成される反射性金属層より低い反射率を呈する。概して、より低いことに加え、金属インクを使用して形成される層の反射率は、可視光範囲内のより短い波長光（青色光）に関してはさらにより低い。
【０１４９】
さらに、いくつかの実施形態では、反射性層の金属は、反射性層が、好ましくは、接着剤または結合剤の必要なく、導波管の表面に安定して接着されたままであるように、導波管の表面に安定して結合される。いくつかの実施形態では、金属の優れた接着は、堆積時に達成される。すなわち、優れた接着は、アニーリング等のポストコーティング処理の必要なく、基板を金属コーティングすることに応じて提供される。いくつかの実施形態では、基板表面は、その表面上への金属種の接着を促進するように処理される。実施例として、処理は、基板表面をプラズマに暴露するステップを含んでもよい。他の実施例処理は、基板表面のエッチングおよび基板と後に堆積される金属との間の界面層の形成を含む。
【０１５０】
いくつかの実施形態では、反射性層は、回折光学要素、例えば、回折格子である、突出部にわたって形成される。反射性層および突出部はともに、反射性回折光学要素を形成する。いくつかの実施形態では、反射性回折光学要素は、導波管の一部である。例えば、反射性回折光学要素は、光が導波管を通して全内部反射によって伝搬するように、入射周囲光を角度で再指向するように構成される、内部結合光学要素であってもよい。いくつかの実施形態では、本明細書に開示されるような反射性層は、その回折光学要素によって再指向される（例えば、内部結合される）光の量を増加させることによって、反射性回折光学要素の光学性能を増加させ得る。
【０１５１】
本明細書に議論されるように、いくつかの実施形態では、反射性層は、離散場所、例えば、回折光学要素または回折光学要素の一部の場所に閉じ込められてもよい。いくつかの実施形態では、本閉じ込めは、流動可能材料の拡散を閉じ込めるための物理的構造（例えば、壁または堰）を使用して達成されてもよい。いくつかの他の実施形態では、閉じ込めは、反射性層内の金属が、優先的に、それらの所望の面積をコーティングする、またはその中に留保される（例えば、濯洗後）ように、基板表面の所望の面積の処理によって達成されてもよい。さらに別の実施例として、液体混合物は、所望の面積に適用されてもよく、それらがそれらの面積から離れるように有意に拡散しないような組成を有してもよい。液体混合物を閉じ込めるためのこれらのスキームのうちの１つ以上のものは、特定の反射性層を形成するために利用されてもよいことを理解されたい。
【０１５２】
いくつかの実施形態では、本明細書に記載されるように、基板を液体混合物からの金属でコーティング後、残留液体混合物が、除去されてもよい。これは、例えば、基板を液体で濯洗することによって遂行されてもよい。
【０１５３】
いくつかの実施形態では、キャッピング層が、反射性層上に形成され、例えば、周囲環境内に存在する化学種からの保護を提供してもよい。
【０１５４】
流動可能材料
本明細書に議論されるように、液体混合物等の流動可能材料が、種々の実施形態では、利用されてもよい。液体混合物は、金属塩を含んでもよい。いくつかの実施形態では、液体混合物はまた、還元剤を含んでもよい。好適な金属塩の実施例は、Ａｇ（ＮＨ３）２等の銀塩を含む。好適な還元剤は、アルファ−ヒドロキシアルデヒドおよび／またはアルファ−ヒドロキシケトンを含む、炭水化物を含む。そのような炭水化物還元剤の実施例は、グルコース、フルクトース、またはグルコースおよびフルクトースの組み合わせを含む。
【０１５５】
いくつかの実施形態では、液体混合物の金属塩および還元剤は、トレンス反応のための反応物である。いくつかの実施形態では、液体混合物は、水溶液等の溶液中にある。液体混合物は、短保存期間を有し得、したがって、いくつかの実施形態では、液体混合物を構成する組成物は、使用直前または使用時に準備され得ることが想定される。いくつかの商業的に利用可能な製品もまた、いくつかの実施形態のために好適な反応物を提供し得、例えば、Ｐｅａｃｏｃｋ  Ｌａｂｏｒａｔｏｒｉｅｓ（Ｗｅｓｔ  Ｃｈｅｓｔｅｒ，  ＰＡ）およびｂｙＴｒａｎｓｅｎｅ  Ｃｏ，  Ｉｎｃ．（Ｄａｎｖｅｒｓ，  ＭＡ）によって販売されている金属溶液である。
【０１５６】
いくつかの実施形態では、液体混合物は、液体混合物を基板上に堆積させる前に事前に混合される、金属塩および還元剤の両方を含んでもよい。いくつかの他の実施形態では、金属塩および還元剤は、導波管の所定の領域に別個に適用され、所定の領域上の原位置で混合されてもよい。
【０１５７】
いくつかの実施形態では、液体混合物はさらに、ｐＨ修正剤、安定化剤、表面活性剤、触媒、および粘度調節成分のうちの１つ以上のものを含む。いくつかの実施形態では、液体混合物は、金属塩、還元剤、溶媒（水等）、塩基、ｐＨ修正剤、安定化剤、表面活性剤、触媒、および粘度調節成分から成る群から選択される、化学種を含み、列挙されたアイテムのうちの２つ以上のものの組み合わせを含む。化学種の相対的濃度は、反射性層内の金属の純度を向上させる、反射性層上のピンホールを阻害する、金属塩および還元剤の反応率を向上させる、化学種の安定性を向上させる、コーティングの安定性を向上させる等のために調節されてもよいことを理解されたい。
【０１５８】
いくつかの実施形態では、化学種は、還元剤が、金属塩を還元し、金属を析出させるように、塩基性ｐＨで相互に反応する。故に、液体混合物はさらに、塩基を含んでもよい。いくつかの実施形態では、液体混合物は、塩基性ｐＨ、例えば、７を上回る、または７．５、８、８．５、９、９．５、１０、１０．５、１１、１１．５、１２、１２．５、１３、１３．５、または１３．９を上回るまたはそれに等しいｐＨにあって、列挙された値のうちの任意の２つの間のｐＨ範囲、または列挙された値のいずれかと１４との間の範囲、例えば、７〜１０、７〜１２、７〜１４、８〜１０、８〜１２、８〜１４、９〜１０、９〜１２、９〜１４、１０〜１２、１０〜１４、１１〜１２、１１〜１４、または１２〜１４を含む。いくつかの実施形態では、液体混合物は、金属塩、還元剤、および塩基から本質的に成る、またはそれから成る。
【０１５９】
異なるレベルの粘度の液体混合物は、異なる利点をもたらし得ることを理解されたい。例えば、比較的に粘性の液体混合物は、殆どさらなる拡散を伴わずに、それらが堆積された領域中に留まるために適している場合がある。他方では、比較的に薄い液体混合物は、比較的に薄くかつ均一な反射性層を形成するために適している場合があり、緊密に離間された特徴間をより容易に流動し得るが、液体混合物を導波管表面の所定の領域に閉じ込めるために壁または堰等の物理的障壁を要求し得る。いくつかの実施形態では、いったん堆積された液体混合物が、反射性層を形成するように反応すると、液体混合物の１つ以上の付加的層が、本明細書に説明されるように、所望の厚さの反射性層を順次形成するように適用されてもよい。
【０１６０】
反射性層
本明細書のいくつかの実施形態による、反射性層は、入射電磁放射の少なくとも１つの可視波長（例えば、可視スペクトル内の光）を反射させる。反射性層は、流動可能材料、例えば、液体混合物から形成されてもよい。反射性層は、好ましくは、入射電磁放射の少なくとも１つの可視波長の少なくとも約３０％、例えば、入射電磁放射の少なくとも約３０％、３５％、４０％、４５％、５０％、５５％、６０％、６５％、７０％、７５％、８０％、８５％、９０％、９５％、９８％、９９％、９９．５％、または９９．９％を反射させ、列挙された値のうちの任意の２つの間の範囲、例えば、入射電磁放射の約３０％〜９９％、３０％〜９５％、３０％〜９０％、３０％〜８０％、３０％〜７０％、５０％〜９９％、５０％〜９５％、５０％〜９０％、５０％〜８０％、５０％〜７０％、７０％〜９９％、７０％〜９５％、７０％〜９０％、または７０％〜８０％を含む。いくつかの実施形態では、入射電磁放射は、可視スペクトルの光を含む。反応物自体（例えば、金属塩）は、必ずしも、本明細書に説明されるように反応されることに先立って、示される反射性性質を保有するとは限らないが、反応物から形成される反射性層（例えば、金属層）は、示される反射性性質を有することを理解されたい。
【０１６１】
反射性層は、蒸着または金属含有インク等の他の手段によって形成される反射性層と構造的に明確に異なり得ることを理解されたい。例えば、いくつかの実施形態では、反射性層は、純または実質的に純金属を含む。本明細書で使用されるような「実質的に純」金属は、本開示に照らして当業者によって理解されるであろうようなその通常および慣習的意味を有する。これは、わずかな微量の他の物質を含有する、金属を指す。付加的数値特異性が、着目される場合、実質的に純金属は、少なくとも９５％、９６％、９７％、９８％、９９％、９９．５％、または９９．９％純金属（ｗ／ｗ）を含み得、列挙された値のうちの任意の２つの間の範囲、例えば、９５％〜９７％、９５％〜９９％、９５％〜９９．９％、９７％〜９９％、９７％〜９９．９％、９８％〜９９％、および９８％〜９９．９％を含む。したがって、実質的に純金属の反射性性質は、元素（「純」）金属のものに匹敵する。いくつかの実施形態では、実質的に純金属は、純金属の反射率の少なくとも９５％、９６％、９７％、９８％、９９％、９９．５％、または９９．９％を有し、列挙された値のうちの任意の２つの間の範囲を含む。
【０１６２】
いくつかの実施形態では、反射性層は、導波管上に配置され、例えば、光分散要素の一部として、導波管を通して伝搬する光を再指向するように構成される。いくつかの実施形態では、反射性層は、導波管上に配置され、例えば、内部結合光学要素の一部として、入射周囲光を導波管の中に指向するように構成される。いくつかの実施形態では、導波管は、拡張または仮想現実ディスプレイデバイス等のディスプレイデバイスの一部である。
【０１６３】
本明細書で使用されるように、「突出部」、「表面突出部」、およびこれらの基礎用語の変形例は、導波管の表面から延在する光学格子内等の基板上または内に上向きに延在する、材料の質量を指す。いくつかの実施形態では、突出部は、堆積される材料（例えば、導波管上に堆積されるフォトレジスト）を含み得る、または実質的に均質構造（例えば、導波管）であり得る、基板をエッチングすることによって形成されてもよい。いくつかの実施形態では、反射性層１０１０は、光学格子１０２０（例えば、図１９Ａ−１９Ｃ参照）にわたって配置される。いくつかの実施形態では、反射性層１０１０は、ブレーズド構成を有する、光学格子１０２０にわたって配置される（図１９Ｂ参照）。いくつかの実施形態では、反射性層１０１０は、マルチレベル構成を有する、光学格子１０２０にわたって配置される（図１９Ｃ参照）。いくつかの実施形態では、光学格子は、パターン化されている、フォトレジストを備える。
【０１６４】
反射性層は、好ましくは、導波管の中および／またはそれを通して戻る光の反射を提供するために利用されることを理解されたい。その結果、反射性層は、好ましくは、突出部の全ての表面をコーティングする。いくつかの実施形態では、反射性層は、光学格子上に共形配置される。材料が、「共形」配置されるとき、下層表面のトポロジに実質的に共形化するであろうことに留意されたい。いくつかの実施形態では、下層表面にわたる反射性層の厚さ（例えば、層を横断して表面から延在する直線厚）は、反射性層全体を横断して、厚さが、平均値の±２０％以内、例えば、平均値の±２０％、±１５％、±１０％、±５％、または±１％以内であるように、約±２０％以下で変動する。好ましくは、共形反射性層は、反射性層と基板の表面との間に間隙がないまたは実質的にないように配置される。
【０１６５】
また、非共形反射性層も、いくつかの実施形態では、関連界面に好適な反射率を提供し得ることが想定される（例えば、理論によって限定されるわけではないが、導波管との界面における反射性層の表面が、十分に反射性であって、十分な被覆率を提供する限り、導波管に面していない対向表面は、導波管に共形化する必要がない場合がある）。故に、いくつかの実施形態では、反射性層は、表面上に非共形配置される。
【０１６６】
好ましくは、非共形層は、反射性層と基板の表面との間に間隙がないまたは実質的にないように配置される。反射性層と基板との間に間隙が「実質的にない」とは、本開示に照らして当業者によって理解されるであろうようなその通常および慣習的意味を有する。ある程度の間隙が、存在し得るが、それらは、間隙がない反射性層と比較して、反射性層および基板によって形成される反射性光学要素の反射率を著しく減少させないことことが確認されている。いくつかの実施形態では、反射性層は、導波管表面の界面における反射性層の表面積の少なくとも９０％、例えば、少なくとも９０％、９５％、９７％、９８％、９９％、または９９．９％が、導波管表面に直接接触する場合、間隙が実質的にない状態で配置される。いくつかの実施形態では、インクは、導波管突出部間の開放体積または間隙を完全または実質的に完全に充填するために十分な厚さまで堆積される。
【０１６７】
金属が、従来の手段、例えば、蒸着、または金属含有インクによって堆積されるとき、金属の表面は、ナノスケールピンホールを含め、非均一であり得ることを理解されたい（例えば、実施例１および図２２Ａ−Ｆ参照）。ピンホールは、ナノスケール直径、例えば、約１ｍｍ未満の直径、例えば、約１ｎｍ〜約１０００ｎｍの範囲内の直径を有する、表面からの空洞、くぼみ、または延在部を指す。理論によって限定されるわけではないが、ピンホールは、反射性層の反射率を阻害すると想定される。理論によって限定されるわけではないが、さらに、本明細書に説明されるような金属イオン還元によって反射性層を形成することは、有利なこととして、ピンホールの形成を最小限にまたは回避し得ることが想定される。いくつかの実施形態では、反射性層は、ピンホールがないまたは実質的にない。ピンホールが「実質的にない」とは、本開示に照らして当業者によって理解されるであろうようなその通常および慣習的意味を有する。ある程度のピンホールは、存在し得るが、それらは、ピンホールがない反射性層と比較して、反射性層および基板によって形成される反射性光学要素の反射率を著しく減少させないことが確認されている。いくつかの実施形態では、いくつかの実施形態のピンホールが実質的にない表面とは、ピンホールを表面の１０％、９％、８％、７％、６％、５％、４％、３％、２％、または１％以下に含み得、列挙された値のうちの任意の２つの間の範囲、例えば、１〜５％、１〜７％、１〜１０％、２〜５％、２〜７％、２〜１０％、５〜７％、および５〜１０％を含む。ピンホールが「ない」反射性層はまた、ピンホールが「実質的にない」状態にもなるであろうことに留意されたい。いくつかの実施形態では、導波管上の突出部と界面接触する、反射性層の表面は、ピンホールがないまたは実質的にない。
【０１６８】
有利なこととして、本明細書に説明されるような金属イオン還元によって反射性層を形成することは、反射性層内の金属粒子（金属自体以外）等の粒子の存在を回避することができる。理論によって限定されるわけではないが、金属粒子は、部分的に、光を散乱させ得、したがって、粒子含有反射性層の反射率は、粒子のない層のものより低くなり得ることが想定される。故に、いくつかの実施形態では、反射性層は、金属粒子がないまたは実質的にない。粒子（金属粒子等）が「実質的にない」とは、本開示に照らして当業者によって理解されるであろうようなその通常および慣習的意味を有する。金属粒子（金属自体以外）等の粒子が、微量で存在し得るが、それらは、そのような金属粒子（金属自体以外）がない反射性層と比較して、反射性層および基板によって形成される反射性光学要素の反射率を著しく減少させないことが確認されている。いくつかの実施形態では、いくつかの実施形態の粒子（金属自体以外の金属粒子等）が実質的にない表面は、５％、４％、３％、２％、１％、０．５％、０．１％、または０．０１％を上回る金属粒子（ｗ／ｗ）を含み得、列挙された値のうちの任意の２つの間の範囲、例えば、０．１〜１％、０．１〜２％、０．１〜５％、１〜２％、１〜５％、２〜５％、または３〜５％を含む。
【０１６９】
いくつかの実施形態では、所望の厚さの反射性層が、形成される。いくつかの実施形態では、反射性層は、少なくとも約１０ｎｍ、例えば、少なくとも約１０ｎｍ、２０、３０、４０、５０、６０、７０、８０、９０、１００、１１０、１２０、１３０、１４０、１５０、１６０、１７０、１８０、１９０、２００、２１０、２２０、２３０、２４０、２５０、２６０、２７０、２８０、２９０、３００、３１０、３２０、３３０、３４０、３５０、３６０、３７０、３８０、３９０、４００、４１０、４２０、４３０、４４０、４５０、４６０、４７０、４８０、４９０、５００、５５０、６００、６５０、７００、７５０、８００、８５０、９００、９５０、または１０００ｎｍの厚さを有し、列挙された値のうちの任意の２つの間の範囲の厚さ、例えば、約１０ｎｍ〜９００ｎｍ、１０ｎｍ〜５００ｎｍ、１０ｎｍ〜４１０ｎｍ、１０ｎｍ〜４００ｎｍ、１０ｎｍ〜３５０ｎｍ、１０ｎｍ〜３００ｎｍ、１０ｎｍ〜２５０ｎｍ、１０ｎｍ〜２００ｎｍ、１０ｎｍ〜１５０、１０ｎｍ〜１００ｎｍ、１０ｎｍ〜５０ｎｍ、３０ｎｍ〜９００ｎｍ、３０ｎｍ〜５００ｎｍ、３０ｎｍ〜４５０ｎｍ、３０ｎｍ〜４００ｎｍ、３０ｎｍ〜３５０ｎｍ、３０ｎｍ〜３００ｎｍ、３０ｎｍ〜２５０ｎｍ、３０ｎｍ〜２００ｎｍ、３０ｎｍ〜１５０、３０ｎｍ〜１００ｎｍ、３０ｎｍ〜５０ｎｍ、５０ｎｍ〜９００ｎｍ、５０ｎｍ〜５００ｎｍ、５０ｎｍ〜４５０ｎｍ、５０ｎｍ〜４００ｎｍ、５０ｎｍ〜３５０ｎｍ、５０ｎｍ〜３００ｎｍ、５０ｎｍ〜２５０ｎｍ、５０ｎｍ〜２００ｎｍ、５０ｎｍ〜１５０、５０ｎｍ〜１００ｎｍ、８０ｎｍ〜９００ｎｍ、８０ｎｍ〜５００ｎｍ、８０ｎｍ〜４５０ｎｍ、８０ｎｍ〜４００ｎｍ、８０ｎｍ〜３５０ｎｍ、８０ｎｍ〜３００ｎｍ、８０ｎｍ〜２５０ｎｍ、８０ｎｍ〜２００ｎｍ、８０ｎｍ〜１５０、８０ｎｍ〜１００ｎｍ、１００ｎｍ〜９００ｎｍ、１００ｎｍ〜５００ｎｍ、１００ｎｍ〜４５０ｎｍ、１００ｎｍ〜４００ｎｍ、１００ｎｍ〜３５０ｎｍ、１００ｎｍ〜３００ｎｍ、１００ｎｍ〜２５０ｎｍ、１００ｎｍ〜２００ｎｍ、または１００ｎｍ〜１５０ｎｍの厚さを含む。
【０１７０】
いくつかの実施形態では、液体混合物の単一層が、本明細書に説明されるように、金属イオン還元反応に応じて、所望の厚さの反射性層を形成するように、好適な反応物含有量および粘度を伴って堆積される。いくつかの実施形態では、液体混合物の層が、第１の堆積サイクルにおいて、適用され、少なくとも部分的に反応することを可能にされ、液体混合物の少なくとも１つの後続層が、第２の堆積サイクルにおいて、第１の層の上部に適用される。随意に、反応の副産物が、液体混合物の層を堆積させるサイクル間に除去されることができる。液体混合物を堆積させるサイクルは、所望の厚さの反射性層が達成されるまで、繰り返されてもよい。例えば、少なくとも２、３、４、５、６、７、８、９、１０、１１、１２、１３、１４、１５、１６、１７、１８、１９、または２０サイクルの液体混合物適用が、所望の厚さの反射性層を形成するように実施されてもよい（列挙された値のうちの任意の２つの間の範囲を含む）。
【０１７１】
いくつかの実施形態では、所望の厚さの反射性層は、本明細書に説明されるように好適な量の液体混合物を、障壁、堰、または壁の背後に閉じ込めることによって形成される。障壁、堰、または壁は、本明細書に説明されるように、導波管の表面の所定の領域の少なくとも一部（または全部）を画定することができる。
【０１７２】
下層突出部は、回折光学要素（例えば、回折格子）を形成してもよく、これは、いくつかの実施形態では、内部結合光学要素として、光を導波管の中に内部結合するために利用されてもよいことを理解されたい。本明細書に議論されるように、これらの突出部は、ＰＶＤによって金属化され、反射性回折光学要素を形成してもよい。いくつかの実施形態では、金属は、ＰＶＤ金属化の代わりに、湿式化学作用によって、突出部上に堆積されてもよい。例えば、金属は、突出部の表面に直接接触し、それを共形コーティングするように堆積され、それによって、反射性層を形成してもよい。ＰＶＤ金属化は、ＰＶＤによって基板に送達される金属種の経路の指向性に起因して、共形層を提供しない場合があることを理解されたい。有利なこととして、ＰＶＤ金属化を液体金属反射性層で置換することは、類似またはより良好なレベルの光学性能を提供することが見出されている。例えば、本明細書の実施形態による、反射性層を使用して形成される反射性回折光学要素は、ＰＶＤ金属化を使用して形成される回折光学要素にそうでなければ類似するまたはより優れている、類似する回折効率を提供することが見出されている（実施例２、表２Ａ−Ｂ参照）。いくつかの実施形態では、液体金属ベースの回折光学要素は、それらの回折光学要素に法線（垂直）の角度で回折光学要素上に入射する光に関して、２０％、３０％、または４０％の回折効率を有する。いくつかの環境では、液体金属ベースの回折光学要素は、全内部反射によって基板（例えば、導波管）を通して伝搬するように、入射光を再指向するように構成される。
【０１７３】
事前処理エージェント
液体混合物を堆積させるステップに先立って、導波管の表面を事前に処理することは、本明細書に説明されるように、反射性層の接着および形成を向上させ得ることが想定される。フォトレジスト導波管に関して、事前処理は、反射性層の接着および反射率の両方を向上させ得ることが観察されている（実施例３）。故に、いくつかの実施形態では、フォトレジストを備える、導波管は、本明細書に説明されるように、液体混合物を堆積させるステップに先立って、事前に処理される。さらに、所定の領域を選択的に事前に処理するが、導波管の表面の他の領域を処理しないことは、本明細書に説明されるように、所望の所定の領域内の反射性層の選択的形成を促進することができることが想定される。
【０１７４】
理論によって限定されるわけではないが、導波管表面の親水性を増加させる事前処理（導波管表面が事前処理前より親水性であるように）は、接着および反射性層の反射率を向上させ得ることが想定される。故に、いくつかの実施形態では、事前処理は、導波管表面の親水性を増加させる。フォトレジストを備える、表面を事前に処理することは、本明細書に説明されるように、反射性層の接着および反射率を実質的に増加させることが観察されている。故に、導波管表面がフォトレジストを備える、いくつかの実施形態では、表面は、例えば、プラズマで事前に処理され、液体混合物を表面上に堆積させる前に、表面の親水性を増加させる。
【０１７５】
いくつかの実施形態では、事前処理は、本明細書に説明されるように、事前処理エージェントを導波管の表面、例えば、所定の領域に適用するステップを含む、それから本質的に成る、またはそれから成る。例示的事前処理エージェントは、限定ではないが、プラズマ（例えば、大気圧プラズマジェット「ＡＰＰＪ」によって印加されることができる）、界面活性剤、コーティング（例えば、シリカ）、湿式化学エッチング（例えば、クロム酸）、および触媒（スズまたはパラジウム、例えば、塩化スズまたは塩化パラジウム等）を含む。いくつかの実施形態では、表面をプラズマで事前に処理するステップは、大気プラズマ処理を含む、湿式化学エッチング剤は、クロム酸を含む、コーティングは、シリカを含む、および／または触媒は、スズまたはパラジウムを含む、またはこれらの組み合わせである。いくつかの実施形態では、導波管の表面は、フォトレジストを備え、表面は、事前処理エージェントで事前に処理される。いくつかの実施形態では、導波管の表面は、フォトレジストを備え、表面は、プラズマで事前に処理される。プラズマ処理は、瞬時、例えば、約１０、９、８、７、６、５、３、２、１秒、またはそれ未満であり得る。いくつかの実施形態では、プラズマ処理は、約１秒またはそれ未満にわたる。
【０１７６】
理論によって限定されるわけではないが、金属イオン還元反応を向上させる事前処理は、導波管の表面の所定の領域（他の領域以外）に選択的に適用され得、所定の領域（他の領域を除く）上における反射性層の形成の選択性を向上させ得ることが想定される。故に、いくつかの実施形態では、本明細書に説明されるような導波管の表面の所定の領域は、本明細書に説明されるように、金属イオン還元反応（および反射性層形成）を向上させる、触媒で事前に処理される。
【０１７７】
光学導波管およびそれを作製する方法
いくつかの実施形態では、反射性層を備える光学導波管構造を作製する方法が、説明される。本方法は、表面を備える、光学導波管を提供するステップを含んでもよい。表面は、突出部のパターンを備える、所定の領域を備えてもよい。例えば、所定の領域は、反射性層の堆積のためのナノパターンを画定してもよい。本方法は、液体混合物を表面の所定の領域上に堆積させるステップを含んでもよい。液体混合物は、金属塩および還元剤を含み、塩基性ｐＨにあってもよい。本方法は、堆積される液体混合物中において、金属塩が還元剤によって還元され、純または実質的に純金属を表面の所定の領域上に析出させることを可能にするステップを含んでもよい。したがって、反射性層は、光学導波管構造の所定の領域上に形成されてもよい。結果として生じる反射性層は、本明細書に説明されるように、ピンホールがないまたは実質的にない状態であり得る。いくつかの実施形態では、所定の領域は、導波管の表面全体未満である。いくつかの実施形態では、反射性層は、導波管の表面の所定の領域内の突出部上に共形堆積される。いくつかの実施形態では、本方法はさらに、本明細書に説明されるように、導波管の表面の所定の領域を事前に処理し、表面の親水性を増加させるステップ、例えば、プラズマ処理を含む。事前に処理するステップは、液体混合物が表面の所定の領域上に堆積される前に行われてもよい。いくつかの実施形態では、本方法は、無電解鍍着および／または無電解堆積方法である。いくつかの実施形態では、反射性層は、基板の表面全体を被覆しない。いくつかの実施形態では、反射性層は、基板の表面の全部または実質的に全部を被覆する。いくつかの実施形態では、本方法はさらに、複数の反射性光学要素を形成するように、基板および反射性層を多くの異なる部品にダイカットまたはダイシングするステップを含む。いくつかの実施形態では、反射性層を備える、光学導波管は、光学導波管スタックの一部であって、本方法はさらに、スタックを形成するように、１つ以上の他の光学導波管を光学導波管に取り付けるステップを含む。いくつかの実施形態では、反射性層を備える、光学導波管は、ディスプレイデバイスの一部であって、したがって、本方法はさらに、反射性層を備える導波管（またはそのような導波管を備えるスタック）をディスプレイデバイス内に配置するステップを含む。いくつかの実施形態では、所定の領域は、±５０ミクロンの分解能、またはさらにより精密な（数値的により小さい）分解能、例えば、±４０、±３０、±２０、±１０、または±５ミクロンで画定される。
【０１７８】
図２３を参照すると、いくつかの実施形態では、本方法は、表面を備える、光学導波管を提供するステップを含み、表面は、突出部のパターン１６００を備える、所定の領域を備える。本方法はさらに、例えば、表面がフォトレジストを備える場合、表面の所定の領域１６１０の親水性を増加させるステップを含んでもよい。例えば、親水性は、本明細書に説明されるように、所定の領域をプラズマで事前に処理することによって増加されてもよい。本方法はさらに、液体混合物を表面の所定の領域上に堆積させるステップを含んでもよく、液体混合物は、金属塩と、塩基性ｐＨ１６２０における還元剤とを含む。本方法はさらに、純または実質的に純金属が表面１６３０の所定の領域上に析出するように、金属塩を還元剤で還元させるステップを含んでもよい。したがって、反射性層は、光学導波管構造１６４０上に形成される。反射性層は、実質的に純金属を含む、それから本質的に成る、またはそれから成ってもよい（または反射性層は、純金属を含む、それから本質的に成る、またはそれから成ってもよい）。いくつかの実施形態では、本方法はさらに、本明細書に説明されるように、例えば、濯洗および／または乾燥によって、残留物を反射性層１５０から除去するステップを含む。
【０１７９】
有利なこととして、本明細書に説明されるような反射性層は、本明細書に説明されるように、所定の領域に選択的に適用され、導波管の表面の他の領域には適用されず、例えば、内部結合光学要素等の回折光学要素を形成し得る。いくつかの実施形態では、導波管の表面はさらに、第１の領域を備える。第１の領域を除く、所定の領域は、液体混合物と選択的に接触される。したがって、純または実質的に純金属は、第１の領域を除く、所定の領域上に析出し、したがって、反射性層を所定の領域上に形成するが、光学導波管の表面の第１の領域には形成しない。いくつかの実施形態では、液体混合物は、本明細書に説明されるように、選択的プラズマ事前処理を用いて、表面の所定の領域（他の領域を除く）のみ上に選択的に適用される。随意に、選択的プラズマ事前処理は、基板を覆い、所定の領域を暴露する、マスクを用いて、選択的であることができる。いくつかの実施形態では、液体混合物は、本明細書に説明されるように、壁、堰、またはウェル等の物理的構造を用いて、選択的に適用される。物理的構造は、所定の領域の少なくとも一部を画定し、液体混合物が導波管の表面の他の領域から流動することを防止する（例えば、図２０Ａ−２０Ｂ参照）。壁は、液体混合物を堆積させるための面積を画定する内壁２００２が、内壁２００２を囲繞する外壁２００４より低いように、段階的な高さであってもよい。理論によって限定されるわけではないが、壁高の漸進度は、例えば、堆積される液体混合物の場所を一貫して閉じ込めることによって、内壁によって画定された領域を充填するとき、欠陥を防止することに役立ち得ることが想定される。したがって、いくつかの実施形態では、壁は、液体混合物を基板の所定の領域内に含有するように、堰または金型またはウェルとしての役割を果たす。いくつかの実施形態では、壁はさらに、スペーサとしての役割を果たし、スタックの導波管を相互から分離し得る。いくつかの実施形態では、壁は、レジストを備える。レジスト壁は、いくつかの実施形態によると、基板を横断して延在し、次いで、パターン化され、壁を画定する、層として堆積されることができることが想定される。
【０１８０】
壁、堰、またはウェルは、書き込まれてもよく、および／または除去可能であってもよい。例えば、壁、堰、またはウェルは、水（または別の液体）による濯洗、剥離、取り出し、および／または真空によって除去されてもよい。いくつかの実施形態では、壁、堰、またはウェルは、除去可能ではなく、むしろ、最終構造の一部として留保される。いくつかの実施形態では、液体混合物は、マスクを用いて、選択的に適用される。マスク内の１つ以上の開口部は、所定の領域を覆うことができ、液体混合物は、１つ以上の開口部内に堆積されてもよい。マスクは、続いて、除去されてもよい。いくつかの実施形態では、液体混合物は、インクジェットで選択的に適用される。インクジェットは、有利なこととして、所望の領域内への液体混合物の堆積の選択的適用を可能にし得る。
【０１８１】
本明細書に説明されるように、基板の表面の疎水性を増加させることは、基板上に析出される反射性層の接着および反射率を改良し得る。導波管のフォトレジスト表面に関して、反射性層は、フォトレジストの疎水性が液体混合物を堆積させるステップに先立って増加されたとき、実質的に優れた接着および反射率を呈し得ることに留意されたい（実施例３）。したがって、導波管の表面の所定の領域の親水性を選択的に増加させる（事前処理前の所定の領域の親水性と比較して）が、他の領域では増加させない、事前処理は、導波管表面の所定の領域上における反射性層の選択的形成を促進することができるが、他の領域上では促進しない。いくつかの実施形態では、本方法は、液体混合物を堆積させるステップに先立って、表面の所定の領域の親水性を増加させるステップを含む。いくつかの実施形態では、親水性は、表面の所定の領域上で選択的に増加されるが、表面の第１の領域では増加されない。いくつかの実施形態では、表面の所定の領域の親水性は、プラズマ、界面活性剤、コーティング、湿式化学エッチング、および触媒から成る群から選択される、事前処理エージェントを用いて、表面の所定の領域を事前に処理することによって増加される。いくつかの実施形態では、本方法は、プラズマ、クロム酸を含む湿式化学エッチング剤による湿式エッチング、界面活性剤、シリカを含むコーティング、および／またはスズまたはパラジウム（塩化スズまたは塩化パラジウム等）を含む触媒のうちの少なくとも１つを用いて、表面を事前に処理するステップを含む。いくつかの実施形態では、導波管の所定の領域は、任意の事前処理試薬で事前に処理されない。
【０１８２】
本明細書に説明されるように、触媒を使用して、導波管の表面の所定の領域（他の領域を除く）内の金属イオン還元を向上させることもまた、所定の領域内の選択的堆積を向上させ得る。いくつかの実施形態では、本方法はさらに、液体混合物を堆積させるステップに先立って、触媒を表面の所定の領域に選択的に適用するステップを含む。触媒は、金属塩の還元、それによって、純または実質的に純金属の析出を促すように構成されることができる。
【０１８３】
本明細書に説明されるように、いくつかの実施形態の方法では、物理的障壁、壁、堰、および／またはウェルもまた、液体混合物（したがって、析出された金属）を導波管の表面の所定の領域に閉じ込めることによって、反射性層の選択的堆積を向上させ得る。いくつかの実施形態の方法では、導波管の表面は、その上に液体混合物が選択的に堆積される、所定の領域の少なくとも一部を画定する、垂直に延在する壁を備える。壁は、第１の領域への液体混合物の側方移動を制限する。そのような壁、ウェル、または堰の実施例は、図２０Ａ−２０Ｂに図示される。
【０１８４】
いくつかの実施形態の方法では、突出部を備える、導波管表面の所定の領域は、格子の一部である。反射性層の少なくとも一部は、格子上に共形または非共形配置されてもよい。反射性層と表面との間の界面は、間隙が実質的にない状態であり得る。いくつかの実施形態では、反射性層の少なくとも一部は、格子上に共形配置され、反射性層と表面との間の界面は、間隙が実質的にない。いくつかの実施形態では、反射性層は、格子上に共形配置される。いくつかの実施形態では、反射性層の少なくとも一部は、格子上に非共形配置され、反射性層と表面との間の界面は、間隙が実質的にない。いくつかの実施形態では、反射性層は、入射電磁放射を界面において第１の導波管の中に反射させるように構成される。
【０１８５】
いくつかの実施形態の方法では、光学導波管構造上の反射性層は、回折光学要素またはその一部である。光学要素は、光が全内部反射によって導波管を通して伝搬するような角度で、入射光を再指向するように構成されてもよい。いくつかの実施形態の方法では、表面の所定の領域は、内部結合光学要素またはその一部を備え、その中で反射性層が、内部結合光学要素またはその一部上に形成される。
【０１８６】
いくつかの実施形態の方法では、導波管は、光学的に透過性の材料から形成され、光をその中に全内部反射によって伝搬するように構成される。いくつかの実施形態では、所定の導波管の表面は、フォトレジストを含む、それから本質的に成る、またはそれから成る。
【０１８７】
いくつかの実施形態の方法では、反射性層を備える、光学導波管スタックが、作製される。光学導波管スタックは、本明細書に説明されるように、第１の表面と、第１の表面の突出部上に共形配置され、第１の表面に接着される、反射性層とを備える、第１の導波管を備えてもよい。反射性層は、本明細書に説明されるように、入射電磁放射（例えば、可視スペクトルの光）を界面において第１の導波管の中に反射させるように構成される、第１の表面との界面を備えてもよい。光学導波管スタックは、本明細書に説明されるように、少なくとも１つの他の光学導波管を備えてもよい。いくつかの実施形態では、その上に反射性層が配置される、第１の導波管の表面の突出部は、本明細書に説明されるように、光学格子、例えば、バイナリ格子、ブレーズド格子、マルチレベル格子、アンダーカット格子、またはメタ材料またはメタ表面格子を形成する。いくつかの実施形態では、光学格子は、パターン化されたフォトレジストを備える。いくつかの実施形態では、反射性層が、光学導波管構造上に形成された後、光学導波管構造は、１つ以上の他の光学導波管に接着され、および／または別の光学導波管が、光学導波管の表面上に堆積され（または光学導波管を堆積させる数回のサイクルが、実施される）、したがって、反射性層を備える、光学導波管のスタックを形成する。
【０１８８】
析出された金属を形成するための金属塩の還元は、本明細書では、「金属還元」または「金属イオン還元」反応と称され得る。そのような反応の実施例は、図２１Ｃに図式的に図示される。いくつかの実施形態の方法では、トレンス反応が、金属塩を純または実質的に純金属を還元させる。いくつかの実施形態では、還元剤は、アルファ−ヒドロキシアルデヒドを含む炭水化物および／またはアルファ−ヒドロキシケトンを含む炭水化物を含む、それから本質的に成る、またはそれから成る。例示的還元剤は、スクロース、フルクトース、およびこれらの組み合わせを含む。いくつかの実施形態では、金属塩は、Ａｇ（ＮＨ３）２を含む、それから本質的に成る、またはそれから成る。いくつかの実施形態では、液体混合物は、溶媒、例えば、水中の金属塩、還元剤、および塩基から本質的に成る。いくつかの実施形態では、液体混合物は、溶媒、例えば、水中の金属塩、還元剤、および塩基から成る。
【０１８９】
いくつかの実施形態の方法では、液体混合物は、金属塩の還元を促進するようにインキュベートされる。いくつかの実施形態では、インキュベートは、室温、例えば、約２０、２１、２２、２３、２４、または２５℃で生じ、列挙された値のうちの任意の２つの間の範囲、例えば、２０〜２５℃を含む。いくつかの実施形態では、液体混合物は、室温を若干下回ってまたは若干上回って、例えば、１５〜２０℃または２５〜３０℃でインキュベートされる。いくつかの実施形態では、液体混合物は、約１５〜３０℃でインキュベートされる。例えば、本明細書のいくつかの実施形態の方法に説明される金属イオン還元反応は、好適には、室温またはそれを下回って行われるように調合されてもよい。他方では、金属インクの印加は、より純粋な金属を生成するために、高温における焼成／加熱を伴う頻度が高く、これは、導波管の熱予算に影響を及ぼし（かつレジスト構造を損傷させることを含め、導波管を損傷さえさせ得る）、かつプロセス時間を延長させ得る。加えて、高温焼成は、突出部等のナノ構造を光学導波管上に加工するために使用される材料と互換性がある場合とそうではない場合がある。
【０１９０】
いくつかの実施形態では、液体混合物は、少なくとも約１秒、例えば、少なくとも約１、５、１０、２０、３０、４０、または５０秒、または少なくとも約１分、例えば、少なくとも約１、２、３、４、５、６、７、８、９、または１０分にわたってインキュベートされ、列挙された値のうちの任意の２つの間の範囲、例えば、１秒〜１分、１秒〜２分、１秒〜５分、１０秒〜１分、１０秒〜２分、１０秒〜５分、１〜５分、１〜１０分、２〜５分、２〜１０分、または５〜１０分を含む。
【０１９１】
いくつかの実施形態の方法では、純または実質的に純金属は、本明細書に説明されるような金属以外の金属粒子がないまたは実質的にない。
【０１９２】
金属は、変色および／または劣化し、その反射性特性を阻害し得ることが想定される。反射性層にキャッピングすることは、変色または他の劣化に対する保護を提供し、したがって、反射性層が所望の反射性特性を留保する時間の長さを延長させ得る（実施例４）。いくつかの実施形態では、反射性層は、キャッピングされる。いくつかの実施形態では、反射性層は、反射性層が、直接、空気および／または湿度に暴露されないように、反射性層をシールする、キャッピング層でキャッピングされる。いくつかの実施形態では、キャッピング層は、誘電体または金属を含む、それから本質的に成る、またはそれから成る。いくつかの実施形態では、キャッピングは、反射性層上への誘電コーティングまたは金属コーティングの蒸着によって形成される。いくつかの実施形態では、保護層は、適用されるとき、液体であってもよく、化学反応または物理的状態変化によって、固体に変換されてもよい。いくつかの実施形態では、キャッピングは、反射性層の関連反射性表面への空気および／または湿度の直接暴露を防止する。
【０１９３】
いくつかの実施形態の液体混合物は、短保存期間を有し得ることが想定される。故に、いくつかの実施形態の方法では、液体混合物は、堆積の直前に準備される。いくつかの実施形態では、液体混合物は、単一組成物中にある。いくつかの実施形態では、液体混合物は、２つ以上の異なる組成物中に提供される。異なる組成物が、導波管の表面の所定の領域上に堆積されるとき、液体混合物が、したがって、堆積される。いくつかの実施形態では、反射性層を（集合的に）形成するための反応物を備える、２つ以上の異なる組成物は、同時に、所定の領域上に堆積される。例えば、部分Ａおよび部分Ｂがともに反応することを要求する、コーティングプロセスに関して、部分Ａおよび部分Ｂは、同時に、所定の表面上に堆積されることができる。いくつかの実施形態では、反射性層を（集合的に）形成するための反応物を備える、２つ以上の異なる組成物は、順次、所定の領域上に堆積される。例えば、部分Ａおよび部分Ｂがともに反応することを要求する、コーティングプロセスに関して、部分Ａの液滴または複数の液滴が、最初に適用されることができ、次いで、部分Ｂの液滴が、その上に適用されることができる。いくつかの実施形態では、反射性層を（集合的に）形成するための反応物を備える、２つ以上の異なる組成物は、混合され、次いで、単一組成物として所定の領域上に堆積される。
【０１９４】
いくつかの好適な技法が、本明細書のいくつかの実施形態の方法に従って、液体混合物を導波管表面の所定の領域上に堆積させるために使用されることができる。例えば、いくつかの実施形態では、液体混合物は、ナノ分注、マイクロ分注、マイクロピペット、インクジェット、または噴霧のうちの少なくとも１つを介して、所定の領域上に堆積される。いくつかの実施形態では、液体混合物は、ピコリットル範囲〜マイクロリットル範囲に及ぶ単一液滴または複数の液滴として、所定の領域上に堆積される。いくつかの実施形態では、液体混合物は、単一液滴分注ツールを使用して堆積される。
【０１９５】
いくつかの実施形態では、反射性層が、形成された後、残留物（例えば、酸化された炭水化物およびアンモニアまたは過剰反応物等の反応物の副産物）は、反射性層から除去される。いくつかの実施形態の方法はさらに、金属イオン還元反応の残留物を除去するステップを含む。いくつかの実施形態の方法では、反射性層は、形成された後、濯洗される。反応後に残った残留物は、濯洗によって除去され得る。好適な濯洗技法の実施例は、洗浄／噴霧システム、循環および／または撹拌を伴う液槽、スピン濯洗／乾燥システム、または列挙された技法のうちの２つ以上のものの組み合わせを含む。いくつかの実施形態では、濯洗は、水溶液、例えば、水で行われる。いくつかの実施形態では、反射性層は、例えば、残留物を完全に乾燥させるまで、または濯洗物を完全に乾燥させるまで乾燥される。
【０１９６】
さらに、いくつかの実施形態では、（例えば、本明細書に説明されるような回折光学要素、内部結合光学要素、または外部結合光学要素に関して）、関連表面は、導波管の反射性層の界面にあって、したがって、直接、空気に暴露され得ないことが想定される。故に、いくつかの実施形態では、例えば、関連反射性表面が、空気に暴露されない場合、反射性層は、キャッピングされない。
【０１９７】
光学デバイス
いくつかの実施形態では、光学デバイスが、説明される。光学デバイスは、第１の表面を備える、第１の導波管を備えてもよい。光学デバイスは、第１の表面の領域上に配置される、反射性層を備えてもよく、その中の反射性層は、ピンホールがないまたは実質的にない。層は、純金属または実質的に純金属を含む、それから本質的に成る、またはそれから成ってもよい。例えば、層は、少なくとも９５％元素金属を含んでもよい。反射性層は、入射電磁放射を界面において第１の導波管の中に反射させるように構成されてもよい。いくつかの実施形態の光学デバイスでは、第１の導波管は、本明細書に説明されるように、光学導波管のスタックの一部である。いくつかの実施形態の光学デバイスでは、スタックの光学導波管のうちの２つ以上のものはそれぞれ、本明細書に説明されるように、反射性層を備える。
【０１９８】
いくつかの実施形態の光学デバイスでは、第１の表面の領域は、反射性層とともに、反射性回折格子の一部である、突出部を備える。突出部の実施例は、図１９Ａ−１９Ｃに描写される。いくつかの実施形態では、反射性回折格子は、突出部上に配置される、反射性層を含む、それから本質的に成る、またはそれから成る。いくつかの実施形態では、反射性回折格子は、突出部上に配置される、反射性層の一部を含む、それから本質的に成る、またはそれから成る。
【０１９９】
いくつかの実施形態の光学デバイスでは、突出部上に配置される、反射性層は、光が第１の導波管を通して伝搬するような角度で、入射周囲光を再指向するように構成される、内部結合光学要素の一部である。一実施例では、回折格子上に入射する光は、導波管内のＴＩＲのために好適な角度で回折格子から離れるように伝搬するように、導波管に内部結合されるであろう。内部結合された光は、ＴＩＲによって導波管を通して伝搬し、内部結合時の角度に類似する角度で導波管の表面から反射し得ることを理解されたい。回折格子の幾何学形状または光のビーム径に応じて、本光の一部は、ＴＩＲ経路内の早期反射の間、回折格子上に入射し得、望ましくないことに、導波管から外に再指向されるであろう。例えば、回折格子は、１つの導波管の表面上にあり得、入射光は、内部結合され、導波管の対向表面から反射するように再指向され得る。反射された光は、次いで、回折格子上に入射し得、これは、光を導波管から外に再指向させる。いくつかの実施形態では、導波管から外への光の望ましくない再指向を防止するために、その上に反射性層が堆積される、回折格子が、導波管の対向表面から反射された内部結合された光が回折格子に衝打しないように、サイズ決めおよび成形されてもよい、またはビーム径が、調節されてもよい。
【０２００】
いくつかの実施形態の光学デバイスでは、反射性層は、少なくとも７０％、例えば、少なくとも７０％、７５％、８０％、８５％、９０％、９５％、９７％、９９％、９９．９％の反射率（または反射度）で、入射電磁放射（例えば、可視スペクトル内の光）を反射させ、列挙された値のうちの任意の２つの間の範囲、例えば、７０％〜９０％、７０％〜９５％、７０％〜９９．９％、８０％〜９０％、８０％〜９５％、８０％〜９９．９％、８５％〜９０％、８５％〜９５％、８５％〜９９．０％、９０％〜９５％、または９０％〜９９．９％を含む。いくつかの実施形態では、反射性層は、少なくとも８５％の反射率を伴って、入射電磁放射（例えば、可視スペクトル内の光）を反射させる。導波管表面の所定の領域は、適宜、サイズ決めおよび成形されてもよい。
【０２０１】
いくつかの実施形態の光学デバイスでは、反射性層は、少なくとも５００時間にわたって、少なくとも８５％、例えば、少なくとも８５％、８７％、または９０％の反射率を伴って、入射電磁放射を反射させる能力を維持する。実施例４および図２４に示されるように、本明細書に説明されるような反射性層は、６０℃および１００％湿度で５００時間後でも、キャッピングを伴わずに、少なくとも約８５％の反射率（４００〜７００ｎｍ光スペクトルを横断して）を維持することができる。故に、いくつかの実施形態では、反射性層は、キャッピングされているかどうかにかかわらず、少なくとも５００時間にわたって、少なくとも８５％の反射率を伴って、入射電磁放射を反射させる能力を維持する。
【０２０２】
本明細書に説明されるように、反射性層を導波管の表面の所定の領域に閉じ込めることが有利であり得る。故に、いくつかの実施形態では、第１の表面は、反射性層の境界を画定する、壁を備える。壁は、第１の導波管と他の導波管との間に空間を維持するように構成される、機械的スペーサを備える、それから本質的に成る、またはそれから成ってもよい。
【０２０３】
いくつかの実施形態では、光学デバイスは、画像情報を含有する光を第１の導波管の中に投影するように構成される、画像プロジェクタを備える、ディスプレイシステムを備える、それから本質的に成る、またはそれから成る。例えば、ディスプレイシステムは、本明細書に説明されるようなウェアラブルディスプレイシステムまたはウェアラブルディスプレイシステムのコンポーネントであってもよい。
【０２０４】
いくつかの実施形態の光学デバイスでは、反射性層は、本明細書に説明されるような金属以外の金属粒子がないまたは実質的にない。
【０２０５】
いくつかの実施形態の光学デバイスはさらに、反射性層および第１の表面の界面に配置される、界面活性剤、触媒、またはコーティングのうちの少なくとも１つを含む、界面層を備えてもよい。本明細書に説明されるように、界面活性剤、触媒、および／またはコーティングは、反射性層の選択的堆積を促進し得、反射性層の接着および光学性能を向上させ得る。いくつかの実施形態では、いくつかの実施形態の光学デバイスはさらに、反射性層および第１の表面の界面に配置される、界面活性剤または触媒のうちの少なくとも１つを備える。いくつかの実施形態では、いくつかの実施形態の光学デバイスはさらに、反射性層および第１の表面の界面に配置される、触媒またはコーティングのうちの少なくとも１つを備える。いくつかの実施形態では、いくつかの実施形態の光学デバイスはさらに、反射性層および第１の表面の界面に配置される、界面活性剤またはコーティングのうちの少なくとも１つを備える。
【０２０６】
いくつかの実施形態の光学デバイスはさらに、本明細書に説明されるように、反射性層上に配置される、キャッピング層を備える。
【０２０７】
ディスプレイデバイス
いくつかの実施形態では、ディスプレイデバイスが、提供される。ディスプレイデバイスは、その中で回折光学要素が導波管の表面の領域上に配置される反射性層を備える、反射性回折光学要素を備える、導波管を備えてもよい。反射性層は、ピンホールが実質的にない状態であり得る。反射性層は、純金属または実質的に純金属を含む、それから本質的に成る、またはそれから成ってもよい。例えば、層は、少なくとも９５％元素金属を含んでもよい。反射性層は、入射電磁放射を界面において第１の導波管の中に反射させるように構成されてもよい。いくつかの実施形態では、第１の導波管は、本明細書に説明されるように、光学導波管のスタックの一部である。いくつかの実施形態では、スタックの光学導波管のうちの２つ以上のものはそれぞれ、本明細書に説明されるように、反射性層を備える。いくつかの実施形態では、反射性層は、導波管の表面全体を被覆しない。
【０２０８】
いくつかの実施形態のディスプレイデバイスでは、反射性回折光学要素は、本明細書に説明されるように、入射光を導波管の中に内部結合するように構成される、内部結合格子を形成する。
【０２０９】
いくつかの実施形態のディスプレイデバイスでは、導波管は、導波管のスタックのうちの１つであって、導波管のスタックはそれぞれ、内部結合格子を備える。上下図では、内部結合格子は、相互から側方にオフセットされてもよい。例えば、図９Ａを参照すると、内部結合光学要素７００、７１０、７２０は、相互から側方にオフセットされてもよい。
【０２１０】
いくつかの実施形態のディスプレイデバイスでは、反射性層は、本明細書に説明されるような金属以外の金属粒子がないまたは実質的にない。
【０２１１】
いくつかの実施形態のディスプレイデバイスはさらに、本明細書に説明されるように、反射性層および表面の界面に配置される、界面活性剤、触媒、またはコーティングのうちの少なくとも１つを備える。いくつかの実施形態では、ディスプレイデバイスはさらに、本明細書に説明されるように、反射性層および表面の界面に配置される、界面活性剤またはコーティングのうちの少なくとも１つを備える。いくつかの実施形態では、ディスプレイデバイスはさらに、本明細書に説明されるように、反射性層および表面の界面に配置される、触媒またはコーティングのうちの少なくとも１つを備える。いくつかの実施形態では、ディスプレイデバイスはさらに、本明細書に説明されるように、反射性層および表面の界面に配置される、界面活性剤または触媒のうちの少なくとも１つを備える。
【０２１２】
いくつかの実施形態のディスプレイデバイスはさらに、本明細書に説明されるように、反射性層上に配置される、キャッピング層を備える。キャッピング層は、電磁放射を指向／または伝搬するように配置される、反射性層の界面が、空気および湿度に直接暴露されないように配置されてもよい。
【０２１３】
いくつかの実施形態のディスプレイデバイスでは、反射性層は、少なくとも７０％、例えば、少なくとも７０％、７５％、８０％、８５％、９０％、９５％、９７％、９９％、９９．９％の反射率（または反射度）を伴って、入射電磁放射（例えば、可視スペクトル内の光）を反射させ、列挙された値のうちの任意の２つの間の範囲、例えば、７０％〜９０％、７０％〜９５％、７０％〜９９．９％、８０％〜９０％、８０％〜９５％、８０％〜９９．９％、８５％〜９０％、８５％〜９５％、８５％〜９９．０％、９０％〜９５％、または９０％〜９９．９％を含む。いくつかの実施形態では、反射性層は、少なくとも８５％の反射率を伴って、入射電磁放射（例えば、可視スペクトル内の光）を反射させる。
【０２１４】
いくつかの実施形態のディスプレイデバイスでは、反射性層は、少なくとも５００時間にわたって、少なくとも８５％、例えば、少なくとも８５％、８７％、または９０％の反射率を伴って、入射電磁放射を反射させる能力を維持する。いくつかの実施形態では、反射性層は、キャッピングされるかどうかにかかわらず、少なくとも５００時間にわたって、少なくとも８５％の反射率を伴って、入射電磁放射を反射させる能力を維持する。
【０２１５】
ディスプレイデバイスを作製する方法
いくつかの実施形態では、光学デバイスを作製する方法が、説明される。本方法は、表面を備える、導波管を提供するステップを含んでもよい。本方法は、液体混合物を表面の領域上に堆積させるステップを含んでもよい。液体混合物は、金属塩を含んでもよい。液体混合物はまた、塩基性ｐＨにおける還元剤を含んでもよい。本方法は、金属塩が還元剤および純または実質的に純金属析出によって還元されるように、液体混合物を表面の所定の領域上でインキュベートするステップを含んでもよい。したがって、反射性層は、表面の所定の領域上に形成される。表面上の反射性層は、反射性回折光学要素を形成してもよい。いくつかの実施形態では、本方法はさらに、本明細書に説明されるように、表面を事前に処理し、表面の親水性を増加させるステップを含む。事前に処理するステップは、液体混合物が表面の所定の領域上に堆積される前に行われてもよい。
【０２１６】
いくつかの実施形態では、本方法はさらに、画像プロジェクタを提供するステップを含み、画像プロジェクタは、光を反射性回折光学要素上に出力するように位置付けられる。
【０２１７】
例示的回折光学要素
いくつかの実施形態では、内部結合光学要素（例えば、内部結合光学要素７００、７１０、７２０）は、本明細書に説明されるように、純または実質的に純金属を含む、それから本質的に成る、またはそれから成る、反射性層を備える、反射性回折光学要素を備える。
【実施例】
【０２１８】
（実施例１）
金属イオン還元によって形成される反射性層と銀含有インクの比較
「タイプ１」高銀複合物装填（図２１Ａ）、「タイプ２」無機水性銀イオン熱堆積（図２１Ｂ）、および本明細書のいくつかの実施形態による「タイプ３」湿式化学銀イオン還元（トレンス反応）（図２１Ｃ）を含む、銀含有層を形成するための異なる方法の実施例が、図２１Ａ−Ｃに示される。
【０２１９】
本明細書に説明されるような銀イオン還元を介して反射性層を作製する方法が、反射性層を作製する他の方法と比較された。比較は、内部結合格子（ＩＣＧ）ナノパターン化構造上で実施された。異なる方法を使用したコーティング性質評定が、表１に示される。いくつかの実施形態による、銀を含む反射性層は、修正されたトレンス反応を使用して形成された。本反応は、室温で行われ、ナノスケールで良好な平滑度を伴う（ピンホールがない）高純度銀を生成した（図２２Ｃ、濯洗後のものが図示される）。コーティングもまた、ＩＣＧナノ構造の周囲で高度に共形的であった。比較として、ＮｏｖａＣｅｎｔｒｉｘ（Ａｕｓｔｉｎｅ，  Ｔｅｘａｓ）製インクジェット可能インク（図２２Ａ）およびＥｌｅｃｔｒｏｉｎｋｓ製インクジェット可能インク（図２２Ｂ）は、実質的数のピンホールを含有し、高伝導性であるが、比較的に低反射率と関連付けられる、ナノ多孔性網を形成した。本明細書に説明されるような反射性層の接着もまた、テープ剥離試験を使用して評価された。ＮｏｖａＣｅｎｔｒｉｘ製インクジェット可能インク（図２２Ｄ）およびＥｌｅｃｔｒｏｉｎｋｓ製インクジェット可能インク（図２２Ｅ）（ガラスからの銀テープ剥離）と比較して、本明細書のいくつかの実施形態による、修正されたトレンス反応を使用することによって形成された反射性層（図２２Ｆ）は、実質的により優れた接着を呈した。テープ剥離試験に関して、いくつかの実施形態の反射性層は、３ｎｍ  ＳｉＯｘコーティングＩＣＧ上に堆積されたことに留意されたい。これらの結果は、下記の表１Ａ−Ｂに要約される。
【表１−１】
2021530747.tif 000003
【表１−２】
2021530747.tif 000004
【表１−３】
2021530747.tif 000005
【０２２０】
したがって、本明細書のいくつかの実施形態による反射性層は、より平滑な表面を保有し（ピンホールがないまたは実質的にない）、インクジェット可能金属含有インクから形成される層より優れた接着を呈することが示された。
【０２２１】
（実施例２）
反射性層と蒸着金属層および銀含有インクの比較
ナノ構造化フォトレジストのプラズマによる事前処理は、優れた接着をもたらした。反射率およびＩＣＧ回折効率が、修正されたトレンス反応によってＡＰＰＪプラズマで処理された３８５レジスト上に生成された銀を含む、反射性層に関して試験され、３８５レジスト上のスパッタアルミニウム堆積層と、１８０℃で１５分にわたって焼成されたＮｏｖａＣｅｎｔｒｉｘ製インクジェット可能インクと比較された。修正されたトレンス反応によって生成された銀を含む、反射性層は、試験された商業用金属インクより明確に高く、また、蒸着によるアルミニウムコーティングより高い（図２３）、反射率を呈した。さらに、修正されたトレンス反応によって生成された銀を含む、反射性層は、４００〜７００ｎｍ範囲内で試験された全ての波長に関してより高い反射率を呈した（図２３）。
【０２２２】
反射度および回折効率は、下記の表２Ａ−Ｂに要約される。
【表２−１】
2021530747.tif 000006
【表２−２】
2021530747.tif 000007
【表２−３】
2021530747.tif 000008
【０２２３】
有利なこととして、銀イオン析出によって形成される反射性層は、高度に平滑で、高反射率、優れた接着を呈し、室温で形成され得た。アルミニウム蒸着層は、安定していたが、より低い反射度および回折効率を呈し、また、ステンシル使用と関連付けられる課題によって妨げられた。ＮｏｖａＣｅｎｔｒｉｘおよびＥｌｅｃｔｒｏｉｎｋｓ製金属含有インクは、より低い反射度および回折効率を呈し、焼成ステップを要求し、これは、生産時間を延長させ、いくつかの導波管に関する熱予算に影響を及ぼすであろう。
【０２２４】
加えて、銀イオン析出によって形成された反射性層は、スパッタリングされたアルミニウムと比較して、より優れた接眼レンズ効率を呈した。銀イオン析出によって形成された反射性層に関するＤ５５緑色効率は、スパッタリングされたアルミニウムに関する約３．９％と比較して、４．５〜４．９％（４〜５つの接眼レンズに関して）であった。
【０２２５】
したがって、いくつかの実施形態の方法およびデバイスによる、反射性層は、金属含有インクから形成される層および蒸着によって形成されるＡｌ層と比較して、より優れた反射率およびより優れた回折効率を呈すると結論付けられ得る。
【０２２６】
（実施例３）
表面処理の効果
表面処理の効果が、本明細書に説明されるように銀イオン還元によって堆積される反射性層に関して評価された。
【０２２７】
対照として、事前処理を伴わないレジスト上のインプリント面積は、非常に薄いＡｇコーティング（軽い水洗後、わずかな残留物のみ）を呈した。
【０２２８】
レジストは、インプリント面積においてアセトンで洗浄された。本事前処理は、薄い半透明銀コーティングをもたらした。銀は、アセトン洗浄を伴わない面積より厚かったが、依然として、非常に薄く、多くの用途に関して十分な反射率を有する可能性が低かった。
【０２２９】
レジストは、超薄大気圧プラズマジェット（ＡＰＰＪ）コーティングで事前に処理された。プラズマジェットコーティングは、ＳｎＣｌ２触媒を用いて、高反射率および容認可能接着をもたらした。
【０２３０】
レジストは、プラズマで事前に処理された。本事前処理は、高反射率および優れた接着をもたらした。
【０２３１】
ガラスのみ面積は、約１００ｎｍ銀コーティングをもたらした。本コーティングは、高度に反射性であって、蒸着によって形成されたアルミニウム層より良好な反射率を呈した。
【０２３２】
これらの事前処理の結果は、下記の表３に要約される。
【表３】
2021530747.tif 000009
【０２３３】
（実施例４）
キャッピングを伴わない反射性層の安定性
本明細書に説明されるように銀イオン還元（「自家銀」とも称され得る）によって形成される反射性層の安定性が、測定された。銀イオン還元によって３８５Ｍ２硬化レジスト（キャッピングを伴わない）上に形成された反射性層の反射率が、最初および６０℃で１００％湿度における５００時間後の両方で測定された。蒸着によって形成されるアルミニウム層の反射率もまた、測定された。図２４に示されるように、銀イオン還元によって形成された反射性層は、初期サンプルと６０℃で１００％湿度における５００時間後のサンプルとの間の全ての試験される波長（４００〜７００ｎｍ）を横断して反射率の変化を殆ど伴わずに、優れた安定性を呈した。（本明細書のいくつかの実施形態による）銀イオン還元によって形成される初期反射性層および６０℃で１００％湿度における５００時間後の反射性層は両方とも、アルミニウムサンプルより優れた反射率を呈した。
【０２３４】
ＩＣＧ回折効率もまた、銀イオン還元によって形成された反射性層に関して、最初および６０℃で１００％湿度における３６０時間後の両方において測定された。結果は、下記の表４に示される。表４は、いくつかの実施形態の反射性層が３６０時間にわたって１００％湿度にあった後でも、回折効率が実質的に変化しなかったことを示す。
【表４】
2021530747.tif 000010
【０２３５】
本発明の種々の例示的実施形態が、本明細書で説明される。非限定的な意味で、これらの実施例を参照する。それらは、本発明のより広く適用可能な側面を例証するように提供される。種々の変更が、説明される本発明に行われてもよく、本発明の真の精神および範囲から逸脱することなく、同等物が置換されてもよい。
【０２３６】
例えば、有利なこととして、複数の深度平面を横断して画像を提供する、ＡＲディスプレイとともに利用されるが、本明細書に開示される拡張現実コンテンツはまた、単一深度平面上に画像を提供するシステムによって表示されてもよい。
【０２３７】
加えて、特定の状況、材料、組成物、プロセス、プロセスの行為、またはステップを、本発明の目的、精神、または範囲に適合させるように、多くの修正が行われてもよい。さらに、当業者によって理解されるように、本明細書で説明および図示される個々の変形例のそれぞれは、本発明の範囲または精神から逸脱することなく、他のいくつかの実施形態のうちのいずれかの特徴から容易に分離され得るか、またはそれらと組み合わせられ得る、離散コンポーネントおよび特徴を有する。全てのそのような修正は、本開示と関連付けられる請求項の範囲内であることを目的としている。
【０２３８】
本発明は、本デバイスを使用して行われ得る方法を含む。本方法は、そのような好適なデバイスを提供するという行為を含んでもよい。そのような提供は、ユーザによって行われてもよい。換言すれば、「提供する」行為は、単に、ユーザが、対象方法において必須デバイスを提供するように、取得し、アクセスし、接近し、位置付けし、設定し、起動し、電源を入れ、または別様に作用することを要求する。本明細書に記載される方法は、論理的に可能である記載された事象の任意の順序で、および事象の記載された順序で実行されてもよい。
【０２３９】
本発明の例示的側面が、材料選択および製造に関する詳細とともに、上記で記載されている。本発明の他の詳細に関して、これらは、上記の参照された特許および公開に関連して理解されるとともに、概して、当業者によって把握または理解され得る。同じことが、一般的または論理的に採用されるような付加的行為の観点から、本発明の方法ベースの側面に関しても当てはまり得る。
【０２４０】
加えて、本発明は、種々の特徴を随意に組み込む、いくつかの実施例を参照して説明されているが、本発明は、本発明の各変形例に関して考慮されるように説明または指示されるものに限定されるものではない。種々の変更が、説明される本発明に行われてもよく、本発明の真の精神および範囲から逸脱することなく、（本明細書に記載されるか、またはいくらか簡潔にするために含まれないかどうかにかかわらず）均等物が置換されてもよい。加えて、値の範囲が提供される場合、その範囲の上限と下限との間の全ての介在値、およびその規定範囲内の任意の他の規定または介在値が、本発明内に包含されることが理解される。
【０２４１】
また、本明細書で説明される発明の変形例の任意の随意的な特徴が、独立して、または本明細書で説明される特徴のうちのいずれか１つ以上の特徴と組み合わせて、記載および請求され得ることが考慮される。単数形の項目の言及は、複数の同一項目が存在する可能性を含む。より具体的には、本明細書で、およびそれに関連付けられる請求項で使用されるように、「ａ」、「ａｎ」、「ｓａｉｄ」、および「ｔｈｅ」という単数形は、特に別様に記述されない限り、複数の指示対象を含む。換言すると、冠詞の使用は、上記の説明および本開示と関連付けられる請求項で、対象項目の「少なくとも１つ」を可能にする。さらに、そのような請求項は、任意の随意的な要素を除外するように起草され得ることに留意されたい。したがって、この記述は、請求項要素の記載に関連する「だけ」、「のみ」、および同等物等のそのような排他的用語の使用、または「否定的」制限の使用のための先行詞としての機能を果たすことを目的としている。
【０２４２】
そのような排他的用語を使用することなく、本開示と関連付けられる請求項での「備える」という用語は、所与の数の要素がそのような請求項で列挙されるか、または特徴の追加をそのような請求項に記載される要素の性質を変換するものと見なすことができるかどうかにかかわらず、任意の付加的な要素の包含を可能にするものとする。本明細書で特に定義される場合を除いて、本明細書で使用される全ての技術および科学用語は、請求項の有効性を維持しながら、可能な限り広義の一般的に理解されている意味を与えられるものである。
【図１】
2021530747.tif 000011
【図２】
2021530747.tif 000012
【図３Ａ】
2021530747.tif 000013
【図３Ｂ】
2021530747.tif 000014
【図３Ｃ】
2021530747.tif 000015
【図４Ａ】
2021530747.tif 000016
【図４Ｂ】
2021530747.tif 000017
【図４Ｃ】
2021530747.tif 000018
【図４Ｄ】
2021530747.tif 000019
【図５】
2021530747.tif 000020
【図６】
2021530747.tif 000021
【図７】
2021530747.tif 000022
【図８】
2021530747.tif 000023
【図９Ａ】
2021530747.tif 000024
【図９Ｂ】
2021530747.tif 000025
【図９Ｃ】
2021530747.tif 000026
【図９Ｄ】
2021530747.tif 000027
【図１０】
2021530747.tif 000028
【図１１Ａ】
2021530747.tif 000029
【図１１Ｂ】
2021530747.tif 000030
【図１２Ａ】
2021530747.tif 000031
【図１２Ｂ】
2021530747.tif 000032
【図１３Ａ】
2021530747.tif 000033
【図１３Ｂ】
2021530747.tif 000034
【図１３Ｃ】
2021530747.tif 000035
【図１４Ａ】
2021530747.tif 000036
【図１４Ｂ】
2021530747.tif 000037
【図１５】
2021530747.tif 000038
【図１６】
2021530747.tif 000039
【図１７】
2021530747.tif 000040
【図１８Ａ】
2021530747.tif 000041
【図１８Ｂ】
2021530747.tif 000042
【図１９Ａ】
2021530747.tif 000043
【図１９Ｂ】
2021530747.tif 000044
【図１９Ｃ】
2021530747.tif 000045
【図２０Ａ】
2021530747.tif 000046
【図２０Ｂ】
2021530747.tif 000047
【図２１Ａ−１】
2021530747.tif 000048
【図２１Ａ−２】
2021530747.tif 000049
【図２１Ｂ】
2021530747.tif 000050
【図２１Ｃ】
2021530747.tif 000051
【図２２Ａ】
2021530747.tif 000052
【図２２Ｂ】
2021530747.tif 000053
【図２２Ｃ】
2021530747.tif 000054
【図２２Ｄ】
2021530747.tif 000055
【図２２Ｅ】
2021530747.tif 000056
【図２２Ｆ】
2021530747.tif 000057
【図２３】
2021530747.tif 000058
【図２４】
2021530747.tif 000059
【図２５】
2021530747.tif 000060
【国際調査報告】
2021530747.tif 000061
2021530747.tif 000062
2021530747.tif 000063